(57)【要約】【課題】光コネクタの接合端面に清掃テープを押し付けるヘッド部材の前記接合端面に対する向きに依らず、高い清掃能力を安定に得ることができる技術の開発。【解決手段】工具本体から突出する突出部の先端部に、支持部本体４４と、この支持部本体４４に突設された円弧板状の傾動用ばね４１と、この傾動用ばね４１の突出先端４１１に支持されたヘッド部材２３とを具備するヘッドユニット４が組み込まれ、前記ヘッド部材２３は、傾動用ばね４１の突出先端４１１から傾動用ばね４１の湾曲頂部４１２に向けて延出する側が後側、突出先端４１１から反対側に行くにしたがって前側に張り出すように傾斜されている清掃工具を提供する。【選択図】図１５
2008046218.tif 000002
【特許請求の範囲】
【請求項１】
光コネクタ（６０）の接合端面（６１ａ）を、清掃テープ（２）の送り移動により拭き取り清掃する光コネクタ清掃工具であって、
前記清掃テープの供給及び巻き取りを行うテープ送り機構（３）が組み込まれた工具本体（１０）と、この工具本体に突設され、前記光コネクタを収容して接続するためのコネクタ用位置決めハウジング（７０）に挿入される挿入部（２０）とを具備し、前記挿入部には、前記清掃テープの前記工具本体から引き出された部分が巻き回されたテープ押し付け機構（４）が設けられ、
前記テープ押し付け機構（４）は、前記光コネクタの前記接合端面に対する前記清掃テープの当接面積を確保するためのテープ押圧面（２４）が形成されたヘッド部材（２３）と、このヘッド部材を前記テープ押圧面が前記光コネクタへの押圧方向に対して傾斜した向きで支持するヘッド支持部（４０）とを有し、
前記ヘッド支持部は、前記工具本体に突設された突出部（１９）に取り付けられる支持部本体（４４）と、この支持部本体の前記光コネクタへの押圧方向前端に突設された円弧状あるいは波形の傾動用ばね（４１）とを具備し、前記ヘッド部材を、前記傾動用ばねの前記支持部本体からの突出先端に、前記傾動用ばねの弾性変形によって傾動可能として支持しており、
前記ヘッド部材は、前記傾動用ばねの前記支持部本体からの突出先端（４１１）から、前記傾動用ばねの前記ヘッド部材に最も近い湾曲頂部（４１２）の側であるばね頂部側とその反対の側であるばね裏側とに張り出すように延出され、前記前記テープ押圧面は、前記ヘッド部材の前記ばね頂部側の端部からばね裏側の端部に行くにしたがって、前記光コネクタへの押圧方向前側となるように傾斜されていることを特徴とする光コネクタ清掃工具（１）。
【請求項２】
前記傾動用ばねが円弧板状あるいは波板状であることを特徴とする請求項１記載の光コネクタ清掃工具。
【請求項３】
前記テープ押圧面（２４）の傾斜角度（θ１）が、前記光コネクタ（６０）の斜め研磨された接合端面（６１ａ）の傾斜角度（θ２）と同じか、それよりも大きいことを特徴とする請求項１又は２記載の光コネクタ清掃工具。
【請求項４】
前記支持部本体は、前記突出部に固定される取付部（４３）と、この取付部と前記傾動用ばねとの間に設けられ前記ヘッド部材を前記光コネクタの前記接合端面に押圧する押圧力によって押し縮められる圧縮用ばね（４２）とを具備することを特徴とする請求項１〜３のいずれかに記載の光コネクタ清掃工具。
【請求項５】
前記テープ押し付け機構（４）が、前記ヘッド部材（２３）と前記ヘッド支持部（４０）とが一体に形成された合成樹脂製の一体成形品であることを特徴とする請求項１〜４のいずれかに記載の光コネクタ清掃工具。
【請求項６】
前記圧縮用ばね（４２）は波形に形成されており、２つ並列に設けられた前記圧縮用ばねによって、前記取付部（４３）と前記傾動用ばねとの間を橋絡する弾性橋絡部が構成されていることを特徴とする請求項４又は５記載の光コネクタ清掃工具。
【請求項７】
前記ヘッド部材には、前記清掃テープが、前記ヘッド部材の前記ばね裏側がばね頂部側に比べて前記清掃テープの流れ方向上流側となるように、巻き回されていることを特徴とする請求項１〜６のいずれかに記載の光コネクタ清掃工具。
【請求項８】
前記ヘッド部の、前記テープ押圧面を介してばね頂部側及びばね裏側の端部に、前記清掃テープの幅方向のずれを防ぐガイド溝（２５Ａ，２５Ｂ）が形成されており、前記清掃テープの前記テープ押圧面を介して流れ方向の上流側および下流側の部分が前記ガイド溝に収容されていることを特徴とする請求項７記載の光コネクタ清掃工具。
【請求項９】
前記コネクタ用位置決めハウジングは、光コネクタを収容するコネクタ収容穴（７２）と、該コネクタ収容穴内面に該コネクタ収容穴の中心軸線方向に沿って延在する溝状に形成され、前記光コネクタの側部に突設されているキー（６２ａ）が挿入されるキー溝（７２ａ）とを具備し、
前記工具本体の前記突出部（１９）の先端に前記テープ押し付け機構（４）を組み込んで、前記コネクタ用位置決めハウジングに挿入可能に構成された前記挿入部（２０）が、前記コネクタ用位置決めハウジングの前記コネクタ収容穴及び前記キー溝の内、前記コネクタ収容穴のみに挿入可能であり、しかも、前記挿入部は、前記キー溝側と前記キー溝とは反対の側とが対称の断面形状になっている前記コネクタ収容穴に対して、表裏反転による正逆の２つの挿入方向で挿入可能な、表裏対称の断面外形になっていることを特徴とする請求項１〜８のいずれかに記載の光コネクタ清掃工具。
【請求項１０】
光部品（６０）の端面（６１ａ）を、清掃テープ（２）の送り移動により拭き取り清掃する光部品清掃工具であって、
前記清掃テープの供給及び巻き取りを行うテープ送り機構（３）が組み込まれた工具本体（１０）と、この工具本体に突設され、前記光部品を収容するハウジング（５０、７０）に挿入される挿入部（２０）とを具備し、前記挿入部には、前記清掃テープの前記工具本体から引き出された部分が巻き回されたテープ押し付け機構（４）が設けられ、
前記テープ押し付け機構（４）は、前記光部品の前記端面に対する前記清掃テープの当接面積を確保するためのテープ押圧面（２４）が形成されたヘッド部材（２３）と、このヘッド部材を前記テープ押圧面が前記光部品への押圧方向に対して傾斜した向きで支持するヘッド支持部（４０）とを有し、
前記ヘッド支持部は、前記工具本体の前記突出部（１９）に取り付けられる支持部本体と、この支持部本体の前記光部品への押圧方向前端に突設された円弧状あるいは波形の傾動用ばね（４１）とを具備し、前記ヘッド部材を、前記傾動用ばねの前記支持部本体からの突出先端に、前記傾動用ばねの弾性変形によって傾動可能として支持しており、
前記ヘッド部材は、前記傾動用ばねの前記支持部本体からの突出先端から、前記傾動用ばねの前記ヘッド部材に最も近い湾曲頂部の側であるばね頂部側とその反対の側であるばね裏側とに張り出すように延出され、前記前記テープ押圧面は、前記ヘッド部材の前記ばね頂部側の端部からばね裏側の端部に行くにしたがって、前記光部品への押圧方向前側となるように傾斜されていることを特徴とする光部品清掃工具（１）。
【請求項１１】
光部品（６０）の端面（６１ａ）を、清掃テープ（２）の送り移動により拭き取り清掃する光コネクタ清掃工具であって、
前記清掃テープの供給及び巻き取りを行うテープ送り機構（３）が組み込まれた工具本体（１０）と、この工具本体に突設された突出部（１９）に組み込まれ、前記清掃テープの前記工具本体から引き出された部分を光部品の端面に押し付けるテープ押し付け機構（４）とを具備し、
前記テープ押し付け機構（４）は、前記光部品の前記端面に対する前記清掃テープの当接面積を確保するためのテープ押圧面（２４）が形成されたヘッド部材（２３）と、このヘッド部材を前記テープ押圧面が前記光部品への押圧方向に対して傾斜した向きで支持するヘッド支持部（４０）とを有し、
前記ヘッド支持部は、前記工具本体に突設された突出部（１９）に取り付けられる支持部本体（４４）と、この支持部本体の前記光部品への押圧方向前端に突設された円弧状あるいは波形の傾動用ばね（４１）とを具備し、前記ヘッド部材を、前記傾動用ばねの前記支持部本体からの突出先端に、前記傾動用ばねの弾性変形によって傾動可能として支持しており、
前記ヘッド部材は、前記傾動用ばねの前記支持部本体からの突出先端（４１１）から、前記傾動用ばねの前記ヘッド部材に最も近い湾曲頂部（４１２）の側であるばね頂部側とその反対の側であるばね裏側とに張り出すように延出され、前記前記テープ押圧面は、前記ヘッド部材の前記ばね頂部側の端部からばね裏側の端部に行くにしたがって、前記光部品への押圧方向前側となるように傾斜されていることを特徴とする光部品清掃工具（１）。
【発明の詳細な説明】
【技術分野】
【０００１】
本発明は、コネクタ用位置決めハウジング内の光コネクタの接合端面を、清掃テープの送り移動によって清掃する光コネクタ清掃工具および光部品の端面を清掃する光部品清掃工具に関する。
【背景技術】
【０００２】
周知のように、アダプタやレセプタクルなどのコネクタ用位置決めハウジング（以下、位置決めハウジングとも言う）内での光コネクタ同士の接続は、各光コネクタの接合端面に臨む光ファイバの端面同士を突き合わせ接合することで実現される。
コネクタ用位置決めハウジングに光コネクタを挿入して突き合わせ接続する際、光コネクタの接合端面にゴミや埃、油分などの汚れが付着していると、着脱時の損傷や、伝送損失の増大などの原因になるため、突き合わせ接続に先立って、接合端面を清掃する必要がある。
【０００３】
この種の用途に用いられるクリーナーとして、光コネクタの接合端面に清掃テープを接触させて、清掃するタイプのものが広く提供されている（例えば、特許文献１−４）。
また、この種のクリーナーとしては、清掃テープを巻き掛けたテープ押し付け用ヘッドを先端に具備する細長の突出部を、光コネクタアダプタ等の位置決めハウジングに挿入して、前記位置決めハウジング内の光コネクタの接合端面に清掃テープを接触させ清掃する構成のものが広く提供されている（例えば、特許文献１、非特許文献１）。
【０００４】
上述の、突出部の先端のテープ押し付け用ヘッドに巻き掛けられた清掃テープを光コネクタの接合端面に接触させて清掃するタイプのクリーナーにあっては、例えば、既述の特許文献１、５記載の技術のように、ヘッドを傾動可能として、斜め研磨された光コネクタの接合端面に対する清掃テープの押し付けを可能にした技術が提案されている。
例えば、特許文献１に開示されたクリーナーは、図２３に示すように、清掃テープ１０２（清掃テープ）が露出される開口部１１６を先端に有した突出部分１１０を備え、この突出部分１１０を光コネクタアダプタ１７０（光アダプタ）内の空間（コネクタ収容穴１７２）に挿入することにより、前記テープ１０２が前記光コネクタアダプタ１７０に収容された光コネクタプラグ１６０（光プラグ）のフェルール１６１の接合端面１６１ａと向かい合って当接するように配置され、テープ１０２の前進送りにより前記光プラグ１６０の接合端面１６１ａを拭き取り清掃する。このクリーナー１０１では、光プラグ１６０の接合端面１６１ａを拭き取り清掃するテープ１０２が、ピボット１１１に枢着されたヘッド部１１２の先端面１１２ａ上を通るように設けられており、ピボット１１１を中心とした枢着回転によりヘッド部１１２の向きが可変となり、フェルール１６１の接合端面１６１ａを種々の角度で受け入れることができるようになっている。
【特許文献１】特開２０００−２８４１４７号公報
【特許文献２】特開平９−１９７１８２号公報
【特許文献３】特開平９−２８５７６６号公報
【特許文献４】特表２０００−５０３７８０号公報
【特許文献５】特開２００４−３４７７９２号公報
【非特許文献１】”ＭＰＯクリーナー”、[online]、株式会社フジクラ  [平成１８年７月７日検索]  インターネット<ＵＲＬ：http://www.fujikura.co.jp/cnc/pdf_files/future_a/mpo_clk_aj.pdf>
【発明の開示】
【発明が解決しようとする課題】
【０００５】
上述した特許文献１のクリーナー１０１では、斜め研磨された光コネクタの接合端面に向けて押圧したヘッド部１１２が枢着回転した際、該ヘッド部１１２の先端面１１２ａの向きが変わるのみならず、ヘッド部１１２の枢着回転によって先端面１１２ａの位置も変わってしまうため、光プラグ１６０の接合端面１６１ａとヘッド部１１２の先端面１１２ａとの中心位置がずれて（片当たり）、接合端面１６１ａにテープ１０２がよく接触しなかったり、接合端面１６１ａにテープ１０２を押し付ける押圧力が不均等になったりして、清掃が確実に行われず、接合端面１６１ａに部分的に汚れが残ることがあるという問題があった。
これに対して、上述の特許文献５の光コネクタ清掃工具は、光コネクタに対するテープ押し当て用のヘッド部が傾動可能になっていること自体は、特許文献１のクリーナーと同様であるが、ヘッド部は、湾曲成形された板ばね状のばね部によって傾動可能に支持されており、斜め研磨された光コネクタの接合端面に向けてヘッド部を押圧した際のばね部の弾性変形によってヘッド部が傾動する。ヘッド部が傾動しても、光コネクタの接合端面とヘッド部の先端面との中心位置のずれは殆ど（あるいは全く）無く、光コネクタの接合端面とヘッド部の片当たりといった問題は生じない。また、特許文献１の技術に比べて、ヘッド部のテープ押圧面よって光コネクタの接合端面に清掃テープを押し付ける押圧力の偏在を少なくでき、均等化を図れる。
【０００６】
ところで、特許文献５のように、ヘッド部を弾性変形可能なばね部によって傾動可能に支持した光コネクタ清掃工具にあっては、ヘッド部を、清掃テープを光コネクタの接合端面に向けて押圧するテープ押圧面が、光コネクタの接合端面に対するテープの押圧方向に対して垂直、より具体的には、ヘッド部が挿入されたコネクタ用位置決めハウジングの光コネクタ（光コネクタプラグ）収容用のコネクタ穴の中心軸線に垂直、となる向きでばね部によって支持した構成のものが一般的である。
しかしながら、このような清掃工具を、斜め研磨された光コネクタの接合端面に用いた場合、光コネクタの接合端面の傾斜向きによっては、ヘッド部のテープ押圧面が光コネクタの接合端面に清掃テープを押し付ける押圧力の偏在を解消しにくい場合があることが判ってきた。
この点を、図２４（ａ）〜（ｄ）を参照して説明する。
【０００７】
図２４（ａ）は、上述の光コネクタ清掃工具に突設された挿入部１３０の一例を示す。
図２４（ａ）において、挿入部１３０は、光コネクタ清掃工具に突設された突出部１３１に組み付けたヘッド部品１２１を具備し、このヘッド部品１２１先端のヘッドプレート１２５（ヘッド部）に、清掃テープ１２２を巻き回したものである。
なお、挿入部１３０について、図２４（ａ）〜（ｄ）において、左側を前、右側を後、上側を上、下側を下として説明する。
【０００８】
ヘッド部品１２１は、光コネクタ清掃工具の突出部１３１に取り付けられたヘッド支持部１２３と、このヘッド支持部１２３の先端に突設された弾性変形可能な円弧板状のばね部１２４と、このばね部１２４のヘッド支持部１２３からの突出先端１２４ａ（前端）に支持されたヘッドプレート１２５とを具備して構成されている。
ヘッドプレート１２５は、清掃対象の光コネクタ（フェルール１４０。図２４（ｂ）〜（ｄ）参照）に対面される側の端面（前端面。以下、テープ押圧面１２６）が、挿入部１３０の前後方向に対して垂直の向きで、ヘッド支持部１２３に支持されている。
清掃テープ１２２は、ヘッドプレート１２５のテープ押圧面１２６に接触させるようにして、ヘッドプレート１２５に巻き回される。
【０００９】
前記ばね部１２４は、ヘッド支持部１２３からの突出先端１２４ａに、ヘッドプレート１２５の上下方向中央部を支持している。
ヘッドプレート１２５において、前記ばね部１２４の突出先端１２４ａから、前記ばね部１２４の湾曲頂部１２４ｂの側（図２４（ａ）〜（ｄ）において、突出先端１２４ａから上側の部分）を、以下「ばね頂部側」、反対側（図２４（ａ）〜（ｄ）において、突出先端１２４ａから下側）を、以下「ばね裏側」として説明する。
【００１０】
図２４（ｂ）〜（ｄ）は、上述の清掃工具の挿入部による、フェルール１４０先端の接合端面に対する、ヘッド部品１２１による清掃テープ１２２の押し付け状態を示す図である。
但し、図２４（ｂ）〜（ｄ）では、突出部１３１の図示を省略している。
図２４（ｂ）、（ｃ）は、フェルール１４０が、斜め研磨された接合端面１４１ａを具備するもの（以下、このフェルールに符号１４１を付す）である場合、図２４（ｄ）は、フェルール１４０が、フラット研磨された接合端面１４２ａ（フェルール１４０に内蔵された光ファイバ１４０ａの光軸に垂直に研磨されている接合端面）を具備するもの。以下、このフェルールに符号１４２を付す）である場合を示す。
図２４（ｂ）、（ｃ）のフェルール１４１の接合端面１４１ａは、図２４（ｄ）のフェルール１４２の接合端面１４２ａに比べて、８度傾斜した傾斜面になっている。但し、図２４（ｂ）と図２４（ｃ）とでは、接合端面１４１ａの傾斜方向が逆になっている。
【００１１】
本発明者等の検証によれば、図２４（ｂ）〜（ｄ）の内、図２４（ｃ）、（ｄ）の場合は、ヘッドプレート１２５がフェルール１４１、１４２の接合端面１４１ａ、１４２ａに清掃テープ１２２を押し付ける押圧力の均等化を充分に実現できるが、図２４（ｂ）の場合は、図２４（ｃ）、（ｄ）に比べて、前記押圧力の偏在が大きくなるケースがある、ことが判ってきた。
この原因は、解明すべき不明点があるものの、ヘッド部品１２１の構造に由来するものと考えられる。
【００１２】
図２４（ｃ）、（ｄ）の場合は、ヘッドプレート１２５がフェルール１４１、１４２の接合端面１４１ａ、１４２ａに清掃テープ１２２を押し付ける押圧力によって、ばね部１２４全体が変形することで、押圧力の均等化を実現できる。
図２４（ｃ）の場合は、フェルール１４１に内蔵されている光ファイバ１４０ａの光軸に対して傾斜された接合端面１４１ａに、前記光軸に対して垂直のヘッドプレート１２５（以下、このヘッドプレート１２５の向きを、フェルールの接合端面の傾斜に対して、「フラット」とも言う）を押圧するが、ばね部１２４全体の変形によって、接合端面１４１ａの傾斜に追従するようにしてヘッドプレート１２５の向きが変わり、接合端面１４１ａに対するテープ押圧面１２６からの押圧力の均等化を充分に実現できる。
【００１３】
これに対して、図２４（ｂ）の場合は、光ファイバ１４０ａの光軸に対して傾斜する接合端面１４１ａが形成されているフェルール１４１先端の挿入部１３０側への突出が最も大きい部分に、ヘッドプレート１２５からフェルール１４１への押圧力が、他の部分に比べて強く作用する傾向がある。
この場合、ヘッドプレート１２５のフェルール１４１の突出先端に対する押圧によって、ヘッドプレート１２５のばね頂部側が押圧方向後側へ押し込まれていくとともに、ばね部１２４が変形されて、ヘッドプレート１２５の向きが、当該ヘッドプレート１２５のばね頂部側端部とばね裏側端部との間の中央部を中心とする回転の如く変化して行き、フェルール１４１に内蔵されている光ファイバ１４０ａの光軸に対して垂直の状態から、フェルール１４１の接合端面１４１ａに沿って傾斜した状態になっていく。
ヘッドプレート１２５のばね裏側部分は、ヘッドプレート１２５の向きの変化に伴い、傾動しながら、押圧方向前側へ移動して行く。
【００１４】
図２４（ｃ）においては、ヘッドプレート１２５のフェルール１４１への押圧によって、フェルール１４１に内蔵されている光ファイバ１４０ａの光軸に対して垂直の状態からのヘッドプレート１２５の向きの変化（傾動）は、ヘッドプレート１２５とヘッド支持部１２３との間を橋絡するアーチ状に形成されているばね部１２４が湾曲半径を縮小する如く変形（ばね部１２４の前後両端間の距離は縮小）されることによるものである。
ヘッドプレート１２５のばね裏側部分は、ヘッドプレート１２５の内、アーチ状のばね部１２４の突出先端１２４ａからばね裏側へ、ばね部１２４を延長する如く延出された部分であるため、フェルール１４１の突出先端によって、ヘッドプレート１２５のばね裏側部分がばね頂部側部分に対して相対的に後側へ押し込まれれば、ばね部１２４が湾曲半径を縮小する如く変形されていく。
そして、ばね部１２４の弾性復帰力が、接合端面１４１ａに対するヘッドプレート１２５の押圧力として作用する。
【００１５】
これに対して、図２４（ｂ）の場合は、ヘッドプレート１２５のフェルール１４１への押圧によって、ヘッドプレート１２５のばね頂部側部分がばね裏側部分に対して相対的に押圧方向後側へ押し込まれていくに伴うヘッドプレート１２５の向きの変化に追従して、ばね部１２４の突出先端１２４ａ付近の向きが変わる。その結果、ばね部１２４の湾曲頂部１２４ｂから突出先端１２４ａ側の部分に、ヘッドプレート１２５のフェルール１４１への押圧前に比べて、湾曲頂部１２４ｂに対して突出先端１２４ａ側を前側へ押し広げて湾曲半径を拡大するような変形が与えられる。
【００１６】
しかしながら、ばね部１２４の湾曲頂部１２４ｂから突出先端１２４ａ側の部分に上述のような、湾曲半径を拡大するような変形が生じると、変形に対するばね部１２４の弾性復帰力によって、ヘッドプレート１２５のばね裏側に、ヘッドプレート１２５のフェルール１４１への押圧力とは逆向きに作用する。
このため、図２４（ｂ）の場合は、ばね部１２４の弾性復帰力によって、ヘッドプレート１２５のばね裏側からフェルール１４１への押圧力が、ばね頂部側に比べて、弱くなる傾向になるものと考えられる。
【００１７】
図２４（ｂ）の場合の、ヘッドプレート１２５からフェルール１４１の接合端面１４１ａへの押圧力の偏在は僅かであり、位置決めハウジング内で挿入部が所定の向きに保持されたならば、清掃能力に与える影響は問題にならない。
しかしながら、作業者が清掃工具を手動操作時に無理に傾動させてしまうことなどによって、ヘッドプレート１２５からフェルール１４１の接合端面１４１ａへの押圧力の偏在が増大したり、あるいは、振動等の作用によって、ヘッドプレート１２５のばね裏側部分がフェルールの接合端面から僅かに浮き上がる、といったことが生じる可能性がある。
このため、作業者による清掃工具の傾動操作や、振動等の外力の作用に対して、接合端面に対する清掃テープの押圧力の均等化を充分に実現できる、技術の開発が求められる。
【００１８】
なお、図２４（ｃ）の場合は、ばね部１２４の湾曲頂部１２４ｂから突出先端１２４ａ側の部分に、湾曲頂部１２４ｂに対して突出先端１２４ａ側を前側へ押し広げるような曲げ変形が与えられるといった現象が発生しないため、ばね部１２４全体の変形が円滑になされ、接合端面に対する追従性を充分に確保できる。
【００１９】
ところで、上述のような、清掃テープを巻き回したテープ押し付け用ヘッドを工具本体から突出する突出部の先端に組み込んだ挿入部を有するタイプのクリーナーは、位置決めハウジングに挿入した挿入部の先端が位置決めハウジング内で位置決めされることで、テープ押し付けヘッドが位置決めハウジング内の光コネクタの接合端面に対して位置決めされる構成、つまり、挿入部がプラグコンパチブルになっている構成のものが多く採用されている。
例えば、上述の非特許文献１のように、ＭＰＯ形光コネクタ（ＪＩＳ  Ｃ  ５９８２に制定されるＦ１３形光コネクタ。ＭＰＯ：Multifiber Push-On）のフェルールの接合端面の清掃に用いるクリーナーが、すでに製品化されている。このクリーナーの場合、プラグコンパチブルになっている挿入部が、ＭＰＯ形光コネクタ（光コネクタプラグ。以下、ＭＰＯプラグとも言う）と同様に、アダプタ、レセプタクルといった位置決めハウジングに挿入して位置決めされる。
【００２０】
しかしながら、周知のように、ＭＰＯプラグは、該ＭＰＯプラグに形成されたキーと、アダプタ、レセプタクルといった位置決めハウジングの内壁に形成したキー溝とによって、位置決めハウジングに対する挿入向きに正逆が有り、プラグコンパチブルとなるクリーナーの挿入部も、ＭＰＯプラグと同様に位置決めハウジングに対する挿入方向が決まっていた。つまり、クリーナーの突出部の挿入方向（挿入向き）に正逆があった。
このため、作業者は、毎回、キー及びキー溝の方向を確認せねばならないが、位置決めハウジングの設置場所や向きによって、キー溝の方向の確認がしにくい場合は、作業性低下の原因になる、といった問題もあった。
【００２１】
また、位置決めハウジングの設置場所や向きによって、キー溝の方向の確認がしにくい場合は、位置決めハウジングに清掃工具の挿入部を挿入して清掃作業を行う際に、作業者が清掃工具の操作時に傾動させてしまいやすく、これにより、清掃工具による清掃能力が充分に発揮されなくなる、という問題も発生しやすい。
【００２２】
仮に、キー溝等によって光コネクタプラグの挿入方向性を持たせた位置決めハウジングに対して、挿入向きの正逆を無くした挿入部を持つ清掃工具を開発したとしても、高い清掃能力を確実に得ようとするならば、光コネクタ（光プラグ）の接合端面に対するヘッドプレートの追従性を向上でき、位置決めハウジングに対する挿入部の挿入向きの正逆に依らず、高い清掃能力を確保できる技術の開発が必要である。
【００２３】
本発明は、前記課題に鑑みて、光コネクタあるいはその他の光部品を収容したハウジングに対する挿入部の挿入向きの正逆に依らず、高い清掃能力を確保できる光コネクタ清掃工具、光部品清掃工具の提供を目的としている。
【課題を解決するための手段】
【００２４】
上記課題を解決するために、本発明では以下の構成を提供する。
第１の発明では、光コネクタの接合端面を、清掃テープの送り移動により拭き取り清掃する光コネクタ清掃工具であって、前記清掃テープの供給及び巻き取りを行うテープ送り機構が組み込まれた工具本体と、この工具本体に突設され、前記光コネクタを収容して接続するためのコネクタ用位置決めハウジングに挿入される挿入部とを具備し、前記挿入部には、前記清掃テープの前記工具本体から引き出された部分が巻き回されたテープ押し付け機構が設けられ、前記テープ押し付け機構は、前記光コネクタの前記接合端面に対する前記清掃テープの当接面積を確保するためのテープ押圧面が形成されたヘッド部材と、このヘッド部材を前記テープ押圧面が前記光コネクタへの押圧方向に対して傾斜した向きで支持するヘッド支持部とを有し、前記ヘッド支持部は、前記工具本体に突設された突出部に取り付けられる支持部本体と、この支持部本体の前記光コネクタへの押圧方向前端に突設された円弧状あるいは波形の傾動用ばねとを具備し、前記ヘッド部材を、前記傾動用ばねの前記支持部本体からの突出先端に、前記傾動用ばねの弾性変形によって傾動可能として支持しており、前記ヘッド部材は、前記傾動用ばねの前記支持部本体からの突出先端から、前記傾動用ばねの前記ヘッド部材に最も近い湾曲頂部の側であるばね頂部側とその反対の側であるばね裏側とに張り出すように延出され、前記前記テープ押圧面は、前記ヘッド部材の前記ばね頂部側の端部からばね裏側の端部に行くにしたがって、前記光コネクタへの押圧方向前側となるように傾斜されていることを特徴とする光コネクタ清掃工具を提供する。
第２の発明では、前記傾動用ばねが円弧板状あるいは波板状であることを特徴とする第１の発明の光コネクタ清掃工具を提供する。
第３の発明では、前記テープ押圧面の傾斜角度が、前記光コネクタの斜め研磨された接合端面の傾斜角度と同じか、それよりも大きいことを特徴とする第１又は第２の発明の光コネクタ清掃工具を提供する。
第４の発明では、前記支持部本体は、前記突出部に固定される取付部と、この取付部と前記傾動用ばねとの間に設けられ前記ヘッド部材を前記光コネクタの前記接合端面に押圧する押圧力によって押し縮められる圧縮用ばねとを具備することを特徴とする第１〜第３のいずれかの発明の光コネクタ清掃工具を提供する。
第５の発明では、前記テープ押し付け機構が、前記ヘッド部材と前記ヘッド支持部とが一体に形成された合成樹脂製の一体成形品であることを特徴とする第１〜４のいずれかの発明の光コネクタ清掃工具を提供する。
第６の発明では、前記圧縮用ばねは波形に形成されており、２つ並列に設けられた前記圧縮用ばねによって、前記取付部と前記傾動用ばねとの間を橋絡する弾性橋絡部が構成されていることを特徴とする第４又は第５の発明の光コネクタ清掃工具を提供する。
第７の発明では、前記ヘッド部材には、前記清掃テープが、前記ヘッド部材の前記ばね裏側がばね頂部側に比べて前記清掃テープの流れ方向上流側となるように、巻き回されていることを特徴とする第１〜６のいずれかの発明の光コネクタ清掃工具を提供する。
第８の発明では、前記ヘッド部の、前記テープ押圧面を介してばね頂部側及びばね裏側の端部に、前記清掃テープの幅方向のずれを防ぐガイド溝が形成されており、前記清掃テープの前記テープ押圧面を介して流れ方向の上流側および下流側の部分が前記ガイド溝に収容されていることを特徴とする第７の発明の光コネクタ清掃工具を提供する。
第９の発明では、前記コネクタ用位置決めハウジングは、光コネクタを収容するコネクタ収容穴と、該コネクタ収容穴内面に該コネクタ収容穴の中心軸線方向に沿って延在する溝状に形成され、前記光コネクタの側部に突設されているキーが挿入されるキー溝とを具備し、前記工具本体の前記突出部の先端に前記テープ押し付け機構を組み込んで、前記コネクタ用位置決めハウジングに挿入可能に構成された前記挿入部が、前記コネクタ用位置決めハウジングの前記コネクタ収容穴及び前記キー溝の内、前記コネクタ収容穴のみに挿入可能であり、しかも、前記挿入部は、前記キー溝側と前記キー溝とは反対の側とが対称の断面形状になっている前記コネクタ収容穴に対して、表裏反転による正逆の２つの挿入方向で挿入可能な、表裏対称の断面外形になっていることを特徴とする第１〜８のいずれかの発明の光コネクタ清掃工具を提供する。
第１０の発明では、光部品の端面を、清掃テープの送り移動により拭き取り清掃する光部品清掃工具であって、前記清掃テープの供給及び巻き取りを行うテープ送り機構が組み込まれた工具本体と、この工具本体に突設され、前記光部品を収容するハウジングに挿入される挿入部とを具備し、前記挿入部には、前記清掃テープの前記工具本体から引き出された部分が巻き回されたテープ押し付け機構が設けられ、前記テープ押し付け機構は、前記光部品の前記端面に対する前記清掃テープの当接面積を確保するためのテープ押圧面が形成されたヘッド部材と、このヘッド部材を前記テープ押圧面が前記光部品への押圧方向に対して傾斜した向きで支持するヘッド支持部とを有し、前記ヘッド支持部は、前記工具本体の前記突出部に取り付けられる支持部本体と、この支持部本体の前記光部品への押圧方向前端に突設された円弧状あるいは波形の傾動用ばねとを具備し、前記ヘッド部材を、前記傾動用ばねの前記支持部本体からの突出先端に、前記傾動用ばねの弾性変形によって傾動可能として支持しており、前記ヘッド部材は、前記傾動用ばねの前記支持部本体からの突出先端から、前記傾動用ばねの前記ヘッド部材に最も近い湾曲頂部の側であるばね頂部側とその反対の側であるばね裏側とに張り出すように延出され、前記前記テープ押圧面は、前記ヘッド部材の前記ばね頂部側の端部からばね裏側の端部に行くにしたがって、前記光部品への押圧方向前側となるように傾斜されていることを特徴とする光部品清掃工具を提供する。
第１１の発明では、光部品の端面を、清掃テープの送り移動により拭き取り清掃する光コネクタ清掃工具であって、前記清掃テープの供給及び巻き取りを行うテープ送り機構が組み込まれた工具本体と、この工具本体に突設された突出部に組み込まれ、前記清掃テープの前記工具本体から引き出された部分を光部品の端面に押し付けるテープ押し付け機構とを具備し、前記テープ押し付け機構は、前記光部品の前記端面に対する前記清掃テープの当接面積を確保するためのテープ押圧面が形成されたヘッド部材と、このヘッド部材を前記テープ押圧面が前記光部品への押圧方向に対して傾斜した向きで支持するヘッド支持部とを有し、前記ヘッド支持部は、前記工具本体に突設された突出部に取り付けられる支持部本体と、この支持部本体の前記光部品への押圧方向前端に突設された円弧状あるいは波形の傾動用ばねとを具備し、前記ヘッド部材を、前記傾動用ばねの前記支持部本体からの突出先端に、前記傾動用ばねの弾性変形によって傾動可能として支持しており、前記ヘッド部材は、前記傾動用ばねの前記支持部本体からの突出先端から、前記傾動用ばねの前記ヘッド部材に最も近い湾曲頂部の側であるばね頂部側とその反対の側であるばね裏側とに張り出すように延出され、前記前記テープ押圧面は、前記ヘッド部材の前記ばね頂部側の端部からばね裏側の端部に行くにしたがって、前記光部品への押圧方向前側となるように傾斜されていることを特徴とする光部品清掃工具を提供する。
なお、第１〜９の発明に係る光コネクタは、第１０、第１１の発明における光部品の一例と見なすことができる。
この点、第２〜第９の発明の構成は、光コネクタを光部品、接合端面を端面、コネクタ用位置決めハウジングをハウジングと読み替えることで、第１０、第１１の発明でも適用し得る。
【発明の効果】
【００２５】
本発明によれば、工具本体から突出する突出部に組み込まれたテープ押し付け機構の傾動用ばねの先端に、テープ押圧用のヘッド部材を、該ヘッド部材に形成されているテープ押圧面が、前記傾動用ばねの前記ヘッド部材に最も近い湾曲頂部の側であるばね頂部側の端部から、その反対側であるばね裏側の端部に行くにしたがって、光コネクタあるいは光部品への押圧方向前側となるように傾斜された姿勢で支持している。
光コネクタ清掃工具について説明すると、斜め研磨された傾斜する接合端面（コネクタ接続時の光軸に対して傾斜する接合端面）を具備する光コネクタの接合端面を清掃する場合、工具本体から突出する突出部にテープ押し付け機構が組み込まれ、コネクタ用位置決めハウジングに挿入される部分（以下、挿入部）を、該挿入部のヘッド部材の傾斜するテープ押圧面が、光コネクタの傾斜する接合端面に沿う向き、あるいは、これとは反対に、テープ押圧面の傾斜が、光コネクタの接合端面の傾斜とは逆となる向きで、コネクタ用位置決めハウジングに挿入する。
コネクタ用位置決めハウジングに対する挿入部の挿入向きが正逆いずれであっても、ヘッド部材から光コネクタの接合端面に向けて押圧力を作用させたときに、傾動用ばねの弾性変形によって、ヘッド部材のテープ押圧面に、傾斜している接合端面に対する高い追従性が得られ、光コネクタ（光コネクタプラグ）の接合端面に対する清掃テープの押圧力の均等化を充分に図ることができ、高い清掃能力を確実に得ることができる。
光部品清掃工具についても、光部品を収容したハウジングの光部品収容穴に清掃工具の挿入部を挿入して、光部品の光部品収容穴の中心軸線に対して傾斜する端面を清掃する場合、上述の光コネクタ清掃工具と同様に、高い清掃能力を確実に得ることができる。この場合、ヘッド部材の傾斜しているテープ押圧面を、光部品の端面の傾斜と沿う向き、あるいは、これとは反対に、光部品の端面の傾斜とは逆の向きにする。
【発明を実施するための最良の形態】
【００２６】
以下、本発明を実施した光コネクタ清掃工具（光部品清掃工具）を、図面を参照して説明する。
図１〜図２２は、本発明の光コネクタ清掃工具（以下、単に「清掃工具」という）の一実施の形態を示す図である。
【００２７】
図１９，図２１に示すように、本実施の形態の清掃工具１が適用される光コネクタプラグ６０（光コネクタ。以下、単に光プラグともいう）および光コネクタアダプタ７０（コネクタ用位置決めハウジング。以下、単に光アダプタという場合がある）は、ここではＪＩＳ  Ｃ  ５９８２等に規定されるＭＰＯ形光コネクタ（ＭＰＯ：Multifiber Push On）である。
【００２８】
光プラグ６０は、ＪＩＳ  Ｃ  ５９８１等に規定されるＭＴ形光コネクタフェルール６１（ＭＴ:Mechanically Transferable。以下、単にフェルールという）をプラスチック製でスリーブ状のハウジング６２の先端部に収容した構成の光コネクタプラグであり、全体が外観扁平な断面形状に形成されている。
以下の説明では、光プラグ６０のフェルール６１の扁平形状の短辺側に対応する方向（図１９の上下方向）を厚さ方向、長辺側に対応する方向を幅方向（図１９の左右方向）ということがある。また、フェルール６１の厚さ方向および幅方向に対応して、このフェルール６１をハウジング６２に収容した光プラグ６０、ならびに光アダプタ７０に挿入される清掃工具１の挿入部２０（後述）についても同様に、厚さ方向および幅方向ということがある。
【００２９】
なお、光プラグ６０、フェルール６１は、本発明に係る光部品清掃工具の適用対象の光部品としても機能する。
また、光アダプタ７０は、本発明に係る光部品清掃工具の工具本体に突設された突出部にテープ押し付け機構を組み込んでなる挿入部が挿入される、光部品収容用のハウジングとしても機能する。
【００３０】
図１９に示すように、フェルール６１の接合端面６１ａの中心位置６６付近には、所定の個数（ここでは４個）の光ファイバ穴６１ｂ（微細孔）が配列されるように開口している。光ファイバ６３は、ここでは４心の光ファイバテープ心線であり、その先端部の樹脂被覆を除去してなる光ファイバ６３ａ（裸光ファイバ）を、フェルール６１の光ファイバ穴６１ｂに挿通することにより、他の光コネクタと突き合わせ接続可能に成端されるとともに、光プラグ６０の内部を貫通して光プラグ６０の後端から引き出されている。光プラグ６０の後端から引き出された光ファイバ６３は、ハウジング６２の接続方向後端側（図２１の左下側）に設けられたブーツ６４に収容されることにより、光プラグ６０の後端付近での急激な曲げ等が防止されている。
なお、光ファイバ６３としては、当該光プラグで成端するのに適したものであれば特に限定はなく、例えば単心または多心の光ファイバ心線、この光ファイバ心線をチューブに収容した光ファイバコードなどが採用可能である。
【００３１】
フェルール６１の接合端面６１ａにおいて、光ファイバ穴６１ｂの幅方向外側の両側には、ガイドピン穴６１ｃが設けられている。フェルール６１同士は、ガイドピン穴６１ｃに挿入されて接合端面６１ａから突出するように設けられる突出部材６５（ガイドピン）を介して、周知のガイドピン嵌合方式の位置決め機構によって高精度に位置決めして、光ファイバ６３ａの端面同士を突き合わせ接合して接続されるようになっている。そしてこれにより、各フェルール６１に成端されている光ファイバ６３同士が光接続されるようになっている。
【００３２】
図２１，図１７に示すように、光アダプタ７０は、コネクタ収容穴７２（光部品収容穴）の両側がコネクタ挿入口７１として開口したスリーブ状に形成されており、該コネクタ挿入口７１から光プラグ６０を挿入することにより、コネクタ収容穴７２内に収容することができるようになっている。
なお、本発明でいう光アダプタ７０とは、両側の光プラグ６０を位置決めして接続固定する中継器具を総称する。従って、光アダプタ７０に接続される両側の光プラグ６０は、互いに同形状のものに限定されることはない。形状が異なる光プラグを接続可能であっても、光アダプタと称する。
【００３３】
光プラグ６０は、光アダプタ７０のコネクタ挿入口７１から挿入されると、挿入方向からずれた方向への変位を規制されつつ、コネクタ収容穴７２に収容される。２個の光プラグ６０を光アダプタ７０に挿入すると、該光アダプタ７０内でフェルール６１同士が突き合わされ、これにより、各フェルール６１に成端されている光ファイバ６３同士が光接続されるようになっている。
この種の光コネクタ６０では、フェルール６１は、光アダプタ７０内で嵌合されたとき、ハウジング６２に内蔵されたスプリング（図示せず）により付勢され、フェルール６１同士に押圧力が作用するようになっている。
【００３４】
この光アダプタ７０では、周知のＭＰＯ形コネクタと同様に、光アダプタ７０のコネクタ収容穴７２に臨む内面を形成する内壁７０ａに、光プラグ６０のハウジング６２に形成されたキー６２ａと嵌合しうるキー溝７２ａが設けられている。キー６２ａおよびキー溝７２ａは、それぞれの光プラグ６０のハウジング６２および光アダプタ７０のコネクタ挿入口７１について、厚さ方向両側の側面のうちの一方にのみ形成されており、キー６２ａとキー溝７２ａとの向きが合わないと、光プラグ６０を光アダプタ７０のコネクタ挿入口７１に挿入できないようになっている。これにより、光プラグ６０の厚さ方向の向きを逆にして光アダプタ７０に挿入してしまう誤り（逆差し）が防止される。
【００３５】
さらに、光アダプタ７０には、特に図示しないが、周知のように、光アダプタ７０の内壁７０ａに沿い、コネクタ挿入口７１に向かって延出形成され、その先端に係合爪を有する弾性係合片が設けられている。また、光プラグ６０のハウジング６２の幅方向両側の側面には、光アダプタ７０の前記弾性係合片の係合爪と係合可能な係合凹所が設けられている。
光プラグ６０のハウジング６２の外周には、前記係合爪と係合凹所とを係合したときに、前記弾性係合片を外側から押さえ、前記係合凹所との係合の離脱を防止するためのカップリング６８が装着されており、周知のスライドロック機構を構成する。
【００３６】
光プラグ６０は、コネクタ挿入口７１から光アダプタ７０に挿入されると、前記係合凹所と係合爪との係合などにより、挿入方向からずれた方向への変位を規制されつつ、コネクタ収容穴７２に収容される。
両方の光プラグ６０を光アダプタ７０に挿入した状態では、光アダプタ７０内でフェルール６１に固定保持された光ファイバ６３ａの端面同士が突き合わされ、これにより、各フェルール６１に成端されている光ファイバ６３同士が光接続されるようになっている。
【００３７】
上記光プラグ６０の接合端面６１ａの清掃に適用できる清掃工具１は、図１〜図５，図１７等に図示するように、内部に清掃テープ２が収容された工具本体１０と、この工具本体１０に組み込まれたテープ送り機構３と、前記工具本体１０に突設された突出部１９の先端部１９Ａに組み込まれたヘッドユニット４とを具備して構成されている。
ヘッドユニット４は、接合端面６１ａに清掃テープ２を押し当てるためのヘッド部材２３を具備している。清掃テープ２は、このヘッド部材２３に巻き回されている。
工具本体１０に突設された突出部１９と、突出部１９の先端部１９Ａに組み込まれたヘッドユニット４とは、光アダプタ７０のコネクタ収容穴７２に挿入可能に形成された挿入部２０を構成している。
工具本体１０は、テープ送り機構３が組み込まれたケース状の送り機構組込部１０Ａと、この送り機構組込部１０Ａから外側へ突出された細長筒状の前記突出部１９とを具備し、送り機構組込部１０Ａから突出部１９に向かって先細り形状となっている。ヘッドユニット４は、工具本体１０先端部の細長筒状の突出部１９の先端（先端部１９Ａ。図１（ａ）の左側の端）に設けられている。
【００３８】
図１（ａ）に示すように、ここでは工具本体１０は、ポリスチレン（ＰＳ）やポリオキシメチレン（ＰＯＭ、ポリアセタール）などのプラスチック等からなる第１および第２のケース半体１１，１２による二つ割り構造になっている。
図２，図３に示すように、ケース半体１１，１２は、例えば、第１のケース半体１１および第２のケース半体１２の内側に、対向配置されて形成された嵌合ピン１３ａ〜１３ｄおよび嵌合穴１４ａ〜１４ｄの嵌合により、一体化できるように構成されている。
図２，図３，図２１に示すように、工具本体１０の一部である突出部１９も、ケース半体１１，１２にそれぞれ突設されている突片である突出部半体１９ａ，１９ｂによって構成された二つ割り構造になっており、ケース半体１１，１２の開閉によって開閉される。
なお、このような工具本体１０の構成は一例に過ぎず、本発明を特に限定することを意図するものではない。
【００３９】
図４，図５に示すように、工具本体１０内の収容空間３５には、清掃テープ２を送り移動するテープ送り機構３が設けられている。
このテープ送り機構３は、清掃テープ２を巻装した供給リール３０と、使用後の清掃テープ２を巻き取って回収する巻取リール３１と、清掃テープ２の送り移動を操作する操作ダイヤル３４とを備え、工具本体１０の外側に一部露出して設けられている操作ダイヤル３４の回転操作によって、巻取リール３１を回転させて清掃テープ２を巻き取ることができ、これにより、供給リール３０からの清掃テープ２の巻き出しも行われる。
なお、図示例の清掃工具１のテープ送り機構３の詳細については、後に詳述する。
【００４０】
図１７に示すように、突出部１９の先端部１９Ａには、清掃テープ２を、光プラグ６０の接合端面６１ａに対して押し付けるためのヘッド部材２３を前端に具備するヘッドユニット４が組み込まれている。
前記ヘッドユニット４の前記ヘッド部材２３には、供給リール３０と巻取リール３１との間に引き出された清掃テープ２が巻き回されている。清掃テープ２は、前記ヘッド部材２３の前端面であるテープ押圧面２４に巻き掛けるようにして、ヘッド部材２３に巻き回されている。
清掃テープ２は、筒状の突出部１９内に通して、供給リール３０と巻取リール３１との間にて、前記ヘッドユニット４の前記ヘッド部材２３のテープ押圧面２４を経由するようにして、張り回されている。
【００４１】
清掃テープ２が巻き回されたヘッドユニット４と、このヘッドユニット４が組み込まれた突出部１９の先端部１９Ａとは、光アダプタ７０に挿入可能な挿入部２０を構成する。
ヘッドユニット４の前端のヘッド部材２３は、突出部１９の先端に開口された開口部２６から僅かに前側に突出した状態に設けられている。
挿入部２０を光アダプタ７０のコネクタ収容穴７２に挿入すると、清掃テープ２の、ヘッド部材２３のテープ押圧面２４に配置された部分を、光プラグ６０の接合端面６１ａに対して押し付けるようにして当接させることができる。
【００４２】
挿入部２０（ここでは、特に、突出部１９の先端部１９Ａ）は、外形が、コネクタ収容穴７２に挿入して位置決めされるように形成されており、この点、光アダプタ７０に対してプラグコンパチブルになっている。
但し、この挿入部２０については、光アダプタ７０のコネクタ収容穴７２のみに挿入される外形になっており、光アダプタ７０内側に形成されているキー溝７２ａに挿入される突部は存在しない。つまり、ＭＰＯ形光コネクタプラグのハウジング６２の側面６２ａに突設されているキー６２ａに相当する突起の突設を省略している。
また、突出部先端部１９Ａの外面の幅方向両側には、当該突出部１９を光アダプタ７０に挿入した際に、該光アダプタ７０の弾性係合片の係合爪（上述）との干渉を避けるための凹溝２１（図２１参照）が形成されており、光アダプタ７０の弾性係合片と係合しないようになっている。なお、凹溝２１は、特に必須のものではない。
【００４３】
光アダプタ７０のコネクタ収容穴７２は、ＭＰＯ形光コネクタプラグのプラグフレームのキー６２ａを除いた部分の断面形状に対応する、細長の断面形状になっており、このコネクタ収容穴７２に挿入して位置決めされる挿入部２０も、コネクタ収容穴７２の断面形状に対応して、厚さ方向寸法よりも若干大きい幅方向寸法を有する、断面細長の外形になっている。
このため、挿入部２０は、コネクタ収容穴７２に対する挿入方向に、表裏（厚さ方向両側）反転による正逆が存在する。
但し、コネクタ収容穴７２の断面形状は、キー溝７２ａ側とその反対側とで対称になっており、挿入部２０の断面外形も厚さ方向両側が対称になっているため、挿入部２０はコネクタ収容穴７２に対して、正逆いずれの向きでも挿入できる。
【００４４】
清掃テープ２（以下、単にテープということがある）は、特に限定されるものではなく、公知の適当な清浄布（不織布や織布）をテープ状に加工したものを採用することができる。例えば、ポリエステルやナイロンなどの極細の繊維からなるものなどが例示される。また、構造も、幅が概略一定である一般的なものである。
【００４５】
図２，図４に示すように、工具先端部の突出部１９の内部には、この突出部１９の補強のための突壁１９ｃが設けられている。この突壁１９ｃによれば、供給リール３０からヘッド部材２３に向かう、清浄であるべき清掃テープ２の上流側の部分２ｂ（以下「上流部」ということがある）の経路と、ヘッド部材２３から巻取リール３１に向かう、拭き取り清掃により汚染された清掃テープ２の下流側の部分２ｃ（以下「下流部」ということがある）の経路とが仕切られるので、清掃テープ２の汚れの移行が抑制される効果も奏される。
【００４６】
（ヘッドユニット）
図１０、図１１、図１３（ａ）、（ｂ）、図１４（ａ）、（ｂ）、図１５（ａ）〜（ｄ）等に示すように、突出部１９を含む清掃工具の先端部には、清掃テープ２をフェルール６１の接合端面６１ａに当接させるためのヘッド部材２３を有するヘッドユニット４が装着されている。
ヘッドユニット４は、清掃時に清掃すべき光プラグ６０の接合端面６１ａに向かい合うテープ押圧面２４を有するヘッド部材２３と、該ヘッド部材２３から前記テープ押圧面２４に対する逆側であるヘッド部材２３の裏面２３ｂの側に連結され、ヘッド部材２３を支持するヘッド支持部４０とを具備して構成されている。
【００４７】
ヘッドユニット４は、本発明に係るテープ押し付け機構として機能する。
本明細書では、このヘッドユニット４について、図１０（ａ）、（ｃ）の左側，図１１の紙面左手前側，図１３（ａ）、（ｂ）の左側を「前」、反対側を「後」、として説明する。また、図１０（ｂ）−（ｄ）、図１１、図１３（ｂ）、図１５において、上側を上、下側を下として説明する。
【００４８】
ヘッドユニット４は、ここではヘッド部材２３とヘッド支持部４０とが一体成形されたものであり、例えばポリオキシメチレン（ＰＯＭ）などのプラスチックから適宜の成形法を用いて製造することができる。
ヘッドユニット４は、ヘッド部材２３よりも供給リール３０側である清掃テープ２の上流部２ｂと、ヘッド部材２３よりも巻取リール３１側である清掃テープ２の下流部２ｃとの間に配置されている。このため、ヘッドユニット４が清掃テープ２の送り運動を阻害することはない。
【００４９】
図１１，図１４（ａ）に示すように、ヘッド部材２３は、略四角形状のテープ押圧面２４をもち、光プラグ６０の接合端面６１ａに対する当接面積を有効に確保できるようになっている。このテープ押圧面２４は、該ヘッド部材２３の挿入先端側（前端側。図１３（ａ），（ｂ）の左側）の端面であり、突出部１９先端の開口部２６に露出されている。
【００５０】
ヘッド部材２３には、接合端面６１ａから突出する突出部材（ガイドピン）６５を挿通することができる突出部材逃げ部として、突出部１９の幅方向両側に一対のガイドピン挿通凹所２３ａが形成されている。ガイドピン挿通凹所２３ａはヘッド部材２３のテープ押圧面２４から裏面２３ｂに貫通している。これにより、突出部１９が光アダプタ７０に挿入された際に、ヘッド部材２３とガイドピン６５との干渉を避けることができる。
【００５１】
ヘッド部材２３には、テープ押圧面２４を介して上下両端に、清掃テープ２の送りをガイドするガイド溝２５Ａ、２５Ｂが設けられている。これらのガイド溝２５Ａ、２５Ｂは、テープ位置決め機構として機能するものである。
下側のガイド溝２５Ａに、ヘッド部材２３に巻き回された清掃テープ２のテープ押圧面２４から送り方向の上流側、上側のガイド溝２５Ｂに下流側が収容される。
【００５２】
ガイド溝２５Ａ、２５Ｂの幅は、清掃テープ２の幅に合うようになっている。清掃テープ２は、テープ押圧面２４の上流側および下流側の各対のガイド溝２５Ａ、２５Ｂにより、ヘッド部材２３に巻き掛けられるようになっている。
このように、清掃テープ２がガイド溝２５Ａ、２５Ｂ内に配置されることにより、ヘッド部材２３が傾動しても、清掃テープ２の位置がずれたり、ヘッド部材２３から外れたりすることが抑制される。
【００５３】
さらに、図１４（ａ）等に示すように、図示例のヘッド部材２３の上下両端には、ガイド溝２５Ａ、２５Ｂ内に配置された清掃テープ２のガイド溝２５Ａ、２５Ｂからの脱落を防止するための突片（脱落防止片２５ａ）が、ガイド溝２５Ａ、２５Ｂの幅の両側から突設され、清掃テープ２の幅方向両端部が、ガイド溝２５Ａ、２５Ｂの底と脱落防止片２５ａとの間に収められるため、清掃テープ２のガイド溝２５Ａ、２５Ｂからの脱落を確実に防止できる。
【００５４】
図１４（ａ）等に示すように、ヘッド部材２３のテープ押圧面２４において、ガイドピン挿通凹所２３ａは、ガイド溝２５Ａ、２５Ｂによって案内される清掃テープ２の幅の両側に開口するように配置されている。これにより、ガイドピン６５，６５は、清掃テープ２との干渉を避け、ガイドピン挿通凹所２３ａに挿入することができる。
【００５５】
図１０（ａ）〜（ｄ）、図１１等に示すように、ヘッド支持部４０は、ヘッド部材２３を傾動可能に支持するための傾動用ばね４１と、ヘッド部材２３の光プラグ６０（詳細にはフェルール６１）に対する弾性付勢用の圧縮用ばね４２と、ヘッドユニット４を突出部１９に取り付けるための板状の取付部４３とを具備する。
このヘッド支持部４０は、傾動用ばね４１以外の部分、すなわち、傾動用ばね４１から後側の部分が、本発明に係る支持部本体４４に相当する。
【００５６】
板状の取付部４３は、工具先端の突出部１９の厚さ方向両側に対向して凹設された一対の取付凹部２９に嵌め込むことで、突出部１９の内断面を略塞ぐようにして設けられる。
また、取付部４３の、一対の取付凹部２９に嵌め込まれる両端部の片方には、両取付凹部２９のうちの一方に形成された嵌合溝２９ａに嵌合する略半円筒状の嵌合部４３ａが突設されており、一対の取付凹部２９に対する嵌め込み可能な向きが決まっている。
ヘッドユニット４は、取付部４３を突出部１９に組み付けて、突出部１９に組み込むことで、該ヘッドユニット４の前後方向が、突出部１９の工具本体１０からの突出方向、より具体的には、筒状の突出部１９の中心軸線に沿った方向に揃えられる。
【００５７】
図１３（ａ）に示すように、圧縮用ばね４２は、ここでは波形バネであり、突出部１９の幅方向（図１３（ａ）の上下方向）に一対を対称に配置してある。
一対の圧縮用ばね４２は、それぞれ、前端が連結板４２ｃに繋がっており、後端が取付部４３に繋がっている。
２つ並列に設けられた前記圧縮用ばね４２と、連結板４２ｃとは、前記取付部４３と前記傾動用ばね４１との間を橋絡する弾性橋絡部４５を構成している。
【００５８】
波形ばねである前記圧縮用ばね４２は、１平面上にて蛇行するように湾曲する棒状あるいは帯状の成形部分であり、Ｓ字形あるいはＳ字が複数連続した形状に形成されている。  ２つ並列に設けられた圧縮用ばね４２は、同一の平面上にて湾曲している。また、連結板４２ｃも、一対の圧縮用ばね４２と同一平面上に形成されている。
弾性橋絡部４５は、全体が、概略細長板状になっている。
【００５９】
一対の圧縮用ばね４２は、板状の取付部４３に対して垂直に形成されている。
このため、弾性橋絡部４５は、突出部１９内にて、長手方向を、突出部１９の中心軸線方向（換言すれば、工具本体１０からの突出方向）に沿わせて延在配置される。
ヘッドユニット４は、弾性橋絡部４５の前端部（具体的には連結板４２ｃと一対の圧縮用ばね４２の前端部）とが、突出部１９の幅方向両側の内壁に設けられた一対のスライド溝２８に収容されている。スライド溝２８は、突出部１９の挿入離脱の方向（図１３（ａ），（ｂ）の左右方向）に延びているとともに、突出部１９の先端側（図１３（ａ），（ｂ）の左側）の端部を閉じる端部壁２８ａを有する。
ヘッド部材２３のテープ押圧面２４に押圧力が作用しないときには、圧縮用ばね４２は、自身の弾発力により、連結板４２ｃをスライド溝２８の端部壁２８ａに付勢して当接させている。連結板４２ｃは、圧縮用ばね４２の伸縮により、スライド溝２８に沿って、突出部１９の中心軸線方向に沿った両方向にスライド可能である。
【００６０】
但し、弾性橋絡部４５は、必ずしも、連結板４２ｃを具備する構成である必要は無く、例えば、傾動用ばね４１の幅の両端に一対の圧縮用ばね４２の前端がそれぞれ繋がっており、一対の圧縮用ばね４２自体が弾性橋絡部４５を構成していても良い。
【００６１】
傾動用ばね４１は、支持部本体４４の前端、すなわち、連結板４２ｃの前端から前側へ突設されている。
この傾動用ばね４１は、円弧板状であり、支持部本体４４の前端とヘッド部材２３とを橋絡するアーチ状になっている。ヘッド部材２３は、支持部本体４４の前端からアーチ状に延出する傾動用ばね４１の前記支持部本体４４からの突出先端４１１に繋がっている。
より詳しくは、図示例のヘッドユニット４は、傾動用ばね４１の突出先端４１１が、ヘッド部材２３の上下方向中央部と繋がっており、ヘッド部材２３に、ヘッドユニット４の前側から後方への押圧力が作用することで、傾動用ばね４１が弾性変形されるようになっている。また、傾動用ばね４１の弾性変形によって、ヘッド部材２３の傾動が可能である。
また、ヘッド部材２３の裏面２３ｂには、傾動用ばね４１の突出先端４１１を収容する凹所２７が形成されており、ヘッド部材２３は、この凹所２７内に収容された傾動用ばね４１の突出先端４１１に支持されている。
【００６２】
前記傾動用ばね４１の突出先端４１１は、板状の弾性橋絡部４５の延長上に位置している。アーチ状の傾動用ばね４１は、板状の弾性橋絡部４５の延長上から片側（図１０（ｂ）〜（ｄ）、図１１、図１３（ｂ）、図１５において上側）に張り出すように湾曲している。
本明細書では、ヘッドユニット４について、板状の弾性橋絡部４５及びその延長上を基準として、傾動用ばね４１の湾曲頂部４１２が存在する側、つまり、図１０（ｂ）〜（ｄ）、図１１、図１３（ｂ）、図１５（ａ）〜（ｄ）において上側を「ばね頂部側」、反対側（下側）を「ばね裏側」と呼ぶこととする。
【００６３】
前記ヘッド部材２３は、前記傾動用ばね４１の突出先端４１１から上下、つまり、ばね頂部側とばね裏側とに張り出すように延出している。
但し、ヘッド部材２３は、テープ押圧面２４がヘッドユニット４の前後方向に垂直となる向き（例えば、図２４（ａ）の状態）ではなく、テープ押圧面２４が、ヘッドユニット４の前後方向に延在する弾性橋絡部４５の延在方向に対する垂直面（仮想垂直面Ｓ。図１３（ｂ）参照）から若干傾斜された向きで、前記傾動用ばね４１の突出先端４１１に支持されている。垂直面に対する傾斜角度θ１は、ここでは、８度（あるいは７〜９度）であるが、これに限定されない。
傾動用ばね４１の突出先端４１１に支持されたヘッド部材２３のテープ押圧面２４は、ばね頂部側からばね裏側に行くにしたがって前側、となるように傾斜されている。
【００６４】
前記ヘッド部材２３には、前記清掃テープ２が、前記ヘッド部材２３の前記ばね裏側がばね頂部側に比べて前記清掃テープ２の流れ方向上流側となるように巻き回されている。
図１０（ｄ）等に示すように、取付部４３の上下両端には、清掃テープが挿通されるテープ溝４３ｂが設けられている。各テープ溝４３ｂには、ヘッド部材２３の上流側のテープ２ｂと下流側のテープ２ｃが挿通される。
【００６５】
（ガイドキャップ）
図１２，図１８に示すように、ガイドキャップ５０は、プラスチックなどにより、略スリーブ状（筒状）に形成されたガイド本体５１と、該ガイド本体５１の一端にヒンジ５６によって連結された蓋５５とを有する。蓋５５には、ガイド本体５１に突設された突起５１ａと嵌合する嵌合穴５５ａが形成されており、ヒンジ５６を屈曲して、ガイド本体５１の突起５１ａと蓋５５の嵌合穴５５ａを嵌合させることにより、蓋５５を閉じた状態を維持できるようになっている。
ガイド本体５１の蓋５５側の一端には、光プラグ６０が挿入されるコネクタ挿入口５２（プラグ挿入口）が開口し、このプラグ挿入口５２と対向する他端には、清掃工具１の挿入部２０が挿入される挿入部挿入口５３が開口している。プラグ挿入口５２と挿入部挿入口５３とは、ガイドキャップ５０の内部空間５４により連通している。
【００６６】
ガイドキャップ５０は、プラグ挿入口５２から光プラグ６０を挿入し、挿入部挿入口５３から清掃工具１の挿入部２０を挿入することにより、光プラグ６０の接合端面６１ａを含む先端部と、清掃工具１の挿入部２０とを、対向した状態で、ガイドキャップ５０の内部空間５４に収容することができるようになっている。
ガイド本体５１のプラグ挿入口５２側の内壁には、光プラグ６０のハウジング６２外面に突設されたキー６２ａと嵌合しうるキー溝５７ａが設けられている。また、ガイド本体５１の挿入部挿入口５３側の内壁には、特許文献５のような、工具本体からの突出部側面にキーが突設されている挿入部の挿入に対応するためのキー溝５７ｂが設けられているが、本実施形態で例示した清掃工具１の挿入部２０はキーの突設を省略しているため、ガイドキャップ５０としてもキー溝５７ｂを省略した構成を採用可能である。キー溝５７ｂを省略したガイドキャップ５０であれば、清掃工具１の挿入部２０を収容した際に、ガイドキャップ内壁面と挿入部２０外周面との密着性を高めることができ、ガイドキャップ内の防塵性の向上に寄与する。
清掃工具１の挿入部２０は、ガイドキャップ５０に対して、光アダプタ７０の場合と同様に、正逆いずれの向きでも挿脱可能に挿入できる。
【００６７】
ガイドキャップ５０は、突出部１９の先端部１９Ａに着脱可能に装着される。すなわち、光プラグ６０の清掃を行わないときには、ガイドキャップ５０は、挿入部挿入口５３に清掃工具１の挿入部２０を挿入した状態とすることができる。さらに、図１２（ａ）に二点鎖線で示すように、ガイドキャップ５０のプラグ挿入口５２を塞ぐ蓋５５を閉じておくことにより、ガイドキャップ５０の内部空間５４にゴミや埃、水分などが侵入することが抑制され、該内部空間５４を常時、正常な状態に維持することができる。
【００６８】
（テープ送り機構）
次に、図示例の清掃工具１のテープ送り機構３の詳細を説明する。
但し、テープ送り機構としては、清掃テープ２の送り移動を実現できるものであれば良く、本実施形態のものに限定されず、様々な構成のものを採用できることは言うまでも無い。
【００６９】
このテープ送り機構３は、清掃テープ２を巻装した供給リール３０と、使用後の清掃テープ２を巻き取って回収する巻取リール３１と、清掃テープ２の送り移動を操作する操作ダイヤル３４とを備え、工具本体１０の外側に一部露出して設けられている操作ダイヤル３４の回転操作によって、巻取リール３１を回転させて清掃テープ２を巻き取ることができ、これにより、供給リール３０からの清掃テープ２の巻き出しも行われる。
【００７０】
供給リール３０、巻取リール３１、操作ダイヤル３４は、例えば、ポリスチレン（ＰＳ）やポリオキシメチレン（ＰＯＭ、ポリアセタール）などのプラスチックから金型により成形することによって製造することができる。
【００７１】
第１のケース半体１１の内側（収容空間３５に臨んだ側）には、供給リール３０が回転可能に装着された供給リール支持軸３２と、巻取リール３１および操作ダイヤル３４が回転可能に装着された巻取リール支持軸３３とが、第２のケース半体１２側に向かって突出して設けられている。
ここでは、供給リール支持軸３２および巻取リール支持軸３３は、一方のケース半体１１と一体に形成されている。そして、該支持軸３２，３３の先端を、他方のケース半体１２に設けられた嵌合穴３２ａ，３３ａに挿入することにより、収容空間３５内で両ケース半体１１，１２をつないで橋絡し、供給リール３０および巻取リール３１を脱落なく保持することができるようになっている。
【００７２】
供給リール３０と巻取リール３１との間では、清掃テープ２は、ピン状のテープガイド３６に沿って、収容空間３５内に張り回されている。そして、その途中で、突出部１９内に収容された上記ヘッド部材２３に巻き掛けられている。図２に示すように、ここでは上記テープガイド３６は、第１のケース半体１１から突設された嵌合ピン１３ａの外周面として設けられている。
供給リール支持軸３２および巻取リール支持軸３３の外周には、これらリール支持軸３２，３３の軸線方向に延びるラチェット溝３２ｃ，３３ｃが周設されている。これらのラチェット溝３２ｃ，３３ｃは、それぞれ、後述する供給リール３０および巻取リール３１のラチェットアームの突条と係合できるようになっている。
【００７３】
図５に示すように、供給リール３０および巻取リール３１は、それぞれ、テープ２の本数と同数（ここでは３個）設けられている。これらのリール３０，３１は、それぞれ、供給リール支持軸３２および巻取リール支持軸３３により、横並びに支持されている。
【００７４】
図８（ａ），（ｂ），図９に、清掃テープ２Ａが巻き付けられる巻取リール３１の一例を示す。この巻取リール３１は、中空円筒状の巻芯部３１ａと、該巻芯部３１ａの両端に形成された側板部３１ｂ，３１ｂが、プラスチックなどから一体に成形されたものである。巻取リール３１は、１個で１本の清掃テープが巻き付けられるようになっている。２枚の側板部３１ｂ，３１ｂ同士の間隔は、そこに巻き付けられる清掃テープの幅に合わせて設定されている。
巻芯部３１ａには、巻芯部３１ａの外周面３１ｇに臨んで開口した挿通穴３１ｈ（貫通穴）が形成されており、該挿通穴３１ｈは狭窄部３１ｋを含んでいる。清掃テープの端部を巻取リール３１に取り付ける方法としては、特に限定されるものではないが、例えば、図８に示すように、巻取リール３１の挿通穴３１ｈに挿通した清掃テープ２Ａの一端に団子状の結び目２ｄを作り、該結び目２ｄを狭窄部３１ｋからの抜け止めとする方法が挙げられる。
【００７５】
巻取リール３１の巻芯部３１ａの内面には、ラチェットアーム３１ｃが形成されている。ラチェットアーム３１ｃの先端には、巻取リール３１の半径方向の中心側に向かって、略半円筒状の突条３１ｄが形成されている。巻芯部３１ａの内面には、ラチェットアーム３１ｃを収容するように凹部３１ｅが形成されている。ラチェットアーム３１ｃは、弾性変形により、突条３１ｄを巻取リール３１の半径方向に揺動させることができるようになっている。
ラチェットアーム３１ｃの突条３１ｄは、巻取リール３１を巻取リール支持軸３３に支持させたとき、該巻取リール支持軸３３に周設されたラチェット溝３３ｃに係合するようになっている。巻取リール３１が回転する際には、ラチェットアーム３１ｃの弾性変形により、突条３１ｄがラチェット溝３３ｃと、係合および離脱を繰り返すことになるので、巻取リール３１の回転に対して回転抵抗が付与される。その結果、清掃テープの送り移動に一定の引張り力が必要となり、巻取リール３１の滑りが抑制される。つまり、巻取リール３１のラチェットアーム３１ｃと、巻取リール支持軸３３のラチェット溝３３ｃとが、巻取リール３１の回転に回転抵抗を付与する回転抵抗付与機構として機能する。
清掃テープ２の送り移動を許容する前記一定の引張り力としては、テープ送り機構３の引張りによる清掃テープの伸びが清掃に悪影響を及ぼさない程度であり、かつ、例えば清掃工具１を振ったり持ち運んだりなどした程度では、テープが送られないようなものとされる。
【００７６】
なお、清掃テープ２Ｂ，２Ｃが巻き付けられる巻取リール３１は、側板部３１ｂ，３１ｂの間隔が異なることを除いて、図８に示す清掃テープ２Ａ用の巻取リール３１と同様の構成を採用できるから、図示を省略する。
また、供給リール３０としては、巻取リール３１と同様のものを用いることができる。
供給リール３０には、巻取リール３１と同様に、供給リール支持軸３２に周設されたラチェット溝３２ｃに係合する突条を有するラチェットアームが設けられ、上記回転抵抗付与機構が構成されている。
【００７７】
巻取リール支持軸３３の外周には、巻取リール３１と同心となるように、操作ダイヤル３４が装着されている。
図６，図７に示すように、操作ダイヤル３４は、巻取リール支持軸３３に貫装されるハブ部３４ａと、外周にローレット面を有するリム部３４ｃと、このハブ部３４ａおよびリム部３４ｃを連結する複数のスポーク部３４ｂとが、プラスチックなどから一体に成形されたものである。複数のスポーク部３４ｂの一つには、操作ダイヤル３４の周方向に延びるアーム部３７ａの先端に係止爪３７ｂが突設形成されたラチェットアーム３７が設けられている。また、他のスポーク部３４ｂには、操作ダイヤル３４の周方向に延びるアーム部３８ａの先端に打槌部３８ｂが突設形成されたハンマーアーム３８が設けられている。
ラチェットアーム３７およびハンマーアーム３８のアーム部３７ａ，３８ａは、弾性的に変形可能である。
【００７８】
図１（ａ），（ｂ）に示すように、操作ダイヤル３４は、工具本体１０の側面に設けられた窓１１ａから、一部、工具本体１０の外に露出されている。
操作ダイヤル３４と巻取リール３１とは、操作ダイヤルに設けられたピン３４ｐを巻取リール３１に形成された挿通穴３１ｐに嵌合することによって一体となるように連結されている。
操作ダイヤル３４の半径は、巻取リール３１の半径より大きくなっている。その結果、清掃テープ２が巻取リール３１に巻き取られる長さは、操作ダイヤル３４の操作量（該操作ダイヤル３４の外周に沿った変位量）より、上記半径比の分だけ小さくなる。
このため、清掃テープ２の微小な送り量が容易に達成される。
【００７９】
図２に示すように、テープ送り機構３は、操作ダイヤル３４を手指などで操作して、所定の方向に回転させることにより駆動できるようになっている。すなわち、操作ダイヤル３４の回転により、巻取リール３１が回転して清掃テープ２を巻き取るとともに、供給リール３０から未使用の清掃テープ２が繰り出され、送り移動される。操作ダイヤル３４が上記窓１１ａから工具本体１０の側面に開口しているので、操作ダイヤル３４は、清掃工具１を片手で持ったときでも、清掃工具１を持った側の手の指で容易に操作できる。
【００８０】
図２に示すように、第１のケース半体１１の内面には、巻取リール支持軸３２を取り囲んで、環状壁部１６が形成されている。環状壁部１６の外周には、該環状壁部１６の周に沿って等間隔に複数（図２では６箇所）の乗上げ突起１７が形成されている。また、環状壁部１６の内周面には、多数のラチェット歯１６ｂが周設されている。
乗上げ突起１７は、図２，図２２に示す正面視で、環状壁部１６の外周面１６ａに対して鋭角をなす傾斜面１７ａを有する。傾斜面１７ａは、各乗上げ突起１７において、巻取リール３１の回転方向（図２２における反時計回り方法）に対向する側に設けられている。
【００８１】
操作ダイヤル３４は、ラチェットアーム３７の係止爪３７ｂが環状壁部１６のラチェット歯１６ｂと係合することにより、操作ダイヤル３４の逆回転が阻止されるようになっている。つまり、ラチェット歯１６ｂとラチェットアーム３７とは、清掃テープ２の逆送りを阻止する逆送り阻止機構として機能する（巻取リールの逆回転を防止する逆回転防止機構）。従って、清掃テープ２を所定の方向に安定して送り移動させ、清掃テープ２のたるみを抑制することができる。
【００８２】
また、操作ダイヤル３４を巻取リール支持軸３３に装着した状態では、図２２（ａ）に示すように、ハンマーアーム３８の打槌部３８ｂの打撃面３８ｃが環状壁部１６の外周面１６ａに当接している。
操作ダイヤル３４が回転すると、図２２（ｂ），（ｃ）に示すように、打槌部３８ｂが乗上げ突起１７の傾斜面１７ａに沿って頂部１７ｂまで乗り上がる。さらに操作ダイヤル３４が回転すると、図２２（ｄ）に示すように、乗上げ突起１７の支持を失って、ハンマーアーム３８は、アーム部３８ａの弾発力により打槌部３８ｂを環状壁部１６の外周面１６ａに向けて振り下ろし、上記打槌部３８ｂの打撃面３８ｃが上記外周面１６ａに衝突する結果、打音が生じる。このように、清掃テープ２の送り量が一定量に達するごとに生じる打音により、作業者に清掃テープ２の送り量を報知することができる。
すなわち、本実施の形態の清掃工具１において、環状壁部１６の乗上げ突起１７と、操作ダイヤル３４のハンマーアーム３８により、清掃テープ２の送り量を報知する送り量報知機構が構成されている。
なお、１回の打音に相当する清掃テープ２の送り量は、光コネクタの１回の清掃に要する送り量とすることができる。また、複数回の打音が、光コネクタの清掃１回に相当する送り量となるようにすることもできる。光コネクタの汚れ具合に応じて、光コネクタの清掃１回に相当する打音の回数を適宜変えて作業することも差し支えない。
【００８３】
この清掃工具１の使用方法の一例として、光アダプタ７０内に収容された光プラグ６０の接合端面６１ａを清掃する手順の一例を説明する。
図１７に示すように、清掃工具１の挿入部２０を光アダプタ７０のコネクタ挿入口７１から挿入すると、挿入部２０は、外面が光アダプタ７０の内壁７０ａにより位置決めされながらコネクタ収容穴７２に進入することにより、清掃テープ２は、光プラグ６０の接合端面６１ａの適切な位置（ここでは、光ファイバ穴６１ｂとその周辺）に位置決めされて当接させられる。
光プラグ６０の接合端面６１ａにガイドピン６５が突出していた場合でも、ガイドピン６５は、ヘッド部材２３に設けられたガイドピン挿通凹所２３ａに収容されるので、挿入部２０は、ガイドピン６５と干渉することなく、コネクタ収容穴７２に収容することができる。
【００８４】
操作ダイヤル３４を所定量回転させると、巻取リール３１の回転と連動して清掃テープ２が運動し、この清掃テープ２により接合端面６１ａが拭き取り清掃されるので、接合端面６１ａに付着しているゴミや埃、油分などの汚れが、清掃テープ２により確実に拭き取られる。
拭き取られた汚れは、清掃テープ２に付着して巻取リール３１に巻き取られる方向に移動するので、使用後の清掃テープ（下流部）２ｃは、もはや突出部１９の開口部２６から露出されることはなく、汚れが接合端面６１ａに再び付着するおそれがない。
従って、接合端面６１ａを極めて清浄に清掃することができる。
清掃後、清掃工具１を挿入したときと反対の方向（離脱方向）に引くことにより、挿入部２０を容易に引き抜くことができる。
【００８５】
次に、光アダプタ７０外の光プラグ６０の接合端面６１ａを清掃する手順の一例を説明する。
図１８に示すように、挿入部挿入口５３に清掃工具１の挿入部２０を挿入しておき、ガイドキャップ５０の蓋５５を外して開口したプラグ挿入口５２に光プラグ６０を挿入することにより、光プラグ６０は、ハウジング６２外面がガイドキャップ５０の内壁により位置決めされながら、該ガイドキャップ５０の内部空間５４に進入する。このようにして光プラグ６０を押し込むことにより、清掃テープ２は、光プラグ６０の接合端面６１ａの適切な位置（ここでは、光ファイバ穴６１ｂとその周辺）に位置決めされて当接させられる。
このように、光プラグ６０の接合端面６１ａと挿入部２０の清掃テープの当接部２ａ（ヘッド部材２３に巻き回された清掃テープ２において、ヘッド部材２３のテープ押圧面２４に配置された部分）との突き合わせは、ガイドキャップ５０によって適切に案内されるので、ガイドキャップ５０内の光プラグ６０の接合端面６１ａの清掃は、上記光アダプタ７０内の光プラグ６０の接合端面６１ａの場合と同様に行うことができる。
【００８６】
すなわち、本実施の形態の清掃工具１によれば、光アダプタ７０内の光プラグ６０の接合端面６１ａを、光アダプタ７０内に収容されたままの状態で清掃することができるとともに、挿入部２０にガイドキャップ５０を装着することにより、光アダプタ７０外の光プラグ６０の接合端面６１ａを清掃することもできる。１種類の清掃工具でいずれの光プラグも清掃できるので、作業に必要な物品を少なくすることができる。
ガイドキャップ５０の蓋５５を閉じて挿入部２０に装着しておくことにより、使用（清掃作業）しないときには、ガイドキャップ５０が、突出部１９の開口部２６からの清掃テープ２の露出を防ぐキャップとして機能し、清掃工具１の保管や携帯の間に、ガイドキャップ５０内部や清掃テープ２等が汚染することを防止できる。
【００８７】
ヘッド部材２３は、そのテープ押圧面２４が光プラグ６０の接合端面６１ａと当接したときの押圧力に対して傾動しうるようになっているので、図１５（ｄ）に示すように接合端面６１ａが直角研磨（フラット研磨）されたフェルール６１が当接された場合においても、図１５（ｂ）、（ｃ）に示すように接合端面６１ａが斜め研磨されたフェルール６１が当接された場合においても、テープ押圧面２４の向きを接合端面６１ａの向きと合わせ、テープ押圧面２４上の清掃テープ２ａを、より均等かつ確実に接合端面６１ａに当接させることができる。また、清掃中に清掃工具１を持つ作業者が清掃工具１を不用意に揺らしたり、挿入部２０が、光プラグ６０の接合端面６１ａに露出する光ファイバ（裸光ファイバ６３ａ）の光軸に対して傾斜するように傾動させてしまったとしても、その振れに追従して、ヘッド部材２３のテープ押圧面２４の向きをフェルール６１の接合端面６１ａの向きに合わせて、清掃テープ２が面接触した状態を維持できるので、押圧力が局所的に集中することなく、ヘッド部材２３のテープ押圧面２４とフェルール６１の接合端面６１ａとの間に、より均等に押圧力が作用し、接合端面６１ａをまんべんなく確実に清掃することができる。
【００８８】
ヘッドユニット４は、ヘッド部材２３が、光プラグ６０のフェルール６１の押圧力によって、圧縮用ばね４２等が弾性変形して挿入方向と反対の方向に後退することにより、ヘッド部材２３に対するフェルール６１の押圧力を緩和することができる。従って、挿入部２０をコネクタ挿入口７１から挿入して、ヘッド部材２３をフェルール６１に押し当てる際、押し込み力が直接に強く加わることがなく、ヘッド部材２３が、フェルール６１からの力を傾動用ばね４１で緩和しながら受圧できるので、該接合端面６１ａや光ファイバ６３ａ端面等の傷つきなどを抑制できる。
つまり、上記ヘッドユニット４は、ヘッド部材２３に後側への押圧力が作用すると、傾動用ばね４１、圧縮用ばね４２の弾性変形によって、ヘッド部材２３が突出部１９の基端側（工具本体１０側。図１４（ｂ），図１５（ａ）〜（ｄ）の右向き）に後退する。
このため、図１５（ａ）〜（ｄ）、図１６、図１７等に示すように、ヘッド部材２３を光プラグ６０の接合端面６１ａに押し当てたときに、光プラグ６０の接合端面６１ａに対するヘッド部材２３の押圧力が必要以上に過剰になることが回避されるとともに、傾動用ばね４１及び圧縮用ばね４２が、ヘッド部材２３を光プラグ６０の接合端面６１ａに弾性付勢する付勢手段として機能する。
【００８９】
また、ヘッド部材２３の傾動は、清掃中に清掃工具１を持つ作業者が手ブレ等をしたとしても、ヘッド部材２３がフェルール６１を押圧する押圧力の変動を緩和して、接合端面６１ａに過大な押圧力が作用するのを抑制し、該接合端面６１ａや光ファイバ６３ａ端面等の傷つきなどを抑制できる。
また、ゴミが光コネクタ６０側のフェルール６１等に押し付けられてこびり付くことが抑制され、ゴミを容易に拭き取ることができる。
また、圧縮用ばね４２により、ヘッド部材２３のテープ押圧面２４の後退変位量を確保できるので、例えば、光学的基準面の位置が異なる光プラグや光トランシーバー等の光部品にも適応して、接合端面に清掃テープ２ａの位置を合わせて清掃することができる。
【００９０】
ヘッドユニット４は、ヘッド部材２３の傾動時に、上下方向（図１５（ａ）〜（ｄ）の上下方向）には殆ど（あるいは全く）変位しない。このため、光プラグ６０の接合端面６１ａとヘッド部材２３のテープ押圧面２４との中心位置がずれて接合端面６１ａに清掃テープ２ａがよく接触しなかったり、接合端面６１ａが清掃テープ２ａに当接する当接力が不均等になったりすることが抑制され、接合端面６１ａの汚れをより確実に除去することができる。
挿入部２０は清掃中も光アダプタ７０のコネクタ収容穴７２に位置決めされるので、位置ずれすることなく、清掃テープの当接部２ａにより均等な押圧力で接合端面６１ａを拭き取り清掃することができる。また、挿入部２０を、ごく軽い力で、光アダプタ７０内に支持することができ、作業性がよい。
【００９１】
ここで、このヘッドユニット４における、ヘッド部材２３の傾動について、より詳細に説明する。
図１７は、この清掃工具１の挿入部２０を光アダプタ７０のコネクタ収容穴７２に挿入して、ヘッドユニット４のヘッド部材２３によって、清掃テープ２を、光プラグ６０の接合端面６１ａに押し付けた状態を示す。
また、図１５（ａ）〜（ｄ）は、ヘッドユニット４における、ヘッド部材２３及び傾動用ばね４１の付近を模式的に示す図である。
【００９２】
図１５（ａ）は、ヘッド部材２３によって光プラグ６０に清掃テープ２を押圧する前、図１５（ｂ）〜（ｄ）は光プラグ６０に清掃テープ２を押圧した状態を示す。
なお、図１５（ｂ）〜（ｄ）は、光プラグ６０の接合端面６１ａに押圧される前のテープ押圧面２４の傾斜が、図１５（ａ）（図１５（ｂ）のテープ押圧面２４の傾斜も図１５（ａ）と同じ）の向きになっている挿入部２０を光アダプタ７０に挿入して、ヘッド部材２３を光プラグ６０の接合端面６１ａに押圧した場合を示す。
挿入部２０は、フェルール６１に内蔵された光ファイバ６３ａの光軸を延長した軸線上を移動することで、光アダプタ７０のコネクタ収容穴７２に対して挿脱される。
【００９３】
図１５（ｂ）、（ｃ）は、斜め研磨された接合端面６１ａを有する光プラグ６０の場合、図１５（ｄ）は、フラット研磨された接合端面６１ａ（フェルール６１に内蔵された光ファイバ６３ａ（図１６）の光軸に垂直に研磨されている接合端面）を有する光プラグ６０の場合を示す。
図１５（ｂ）、（ｃ）の光プラグ６０の接合端面６１ａは、図１５（ｄ）の光プラグ６０の接合端面６１ａに比べて、８度傾斜した傾斜面になっている。
ここで、斜め研磨された接合端面６１ａの、フラット研磨の場合の接合端面に対する傾斜角度θ２（図１６参照）は、テープ押圧面２４の傾斜角度θ１（図１３（ｂ）参照）と一致されている。
【００９４】
但し、図１５（ｂ）と図１５（ｃ）とでは、接合端面６１ａの傾斜方向が逆になっている。
図１５（ｂ）では、光プラグ６０の接合端面６１ａは、光アダプタ７０に挿入した挿入部２０のヘッド部材２３のテープ押圧面２４と向きが揃っている。
図１５（ｃ）では、光プラグ６０の接合端面６１ａの傾斜が、図１５（ｂ）と逆向きになっている。
なお、図１７も、図１５（ｂ）と同じく、光プラグ６０の接合端面６１ａと、光アダプタ７０に挿入した挿入部２０のヘッド部材２３のテープ押圧面２４との向きが揃っている場合であり、図１５（ｂ）は図１７の状態を模式的に示したものである。
【００９５】
図１５（ｂ）の場合は、光プラグ６０の接合端面６１ａと、光アダプタ７０に挿入した挿入部２０のヘッド部材２３のテープ押圧面２４との向きが揃っているため、挿入部２０を光プラグ６０に向けて光アダプタ７０に押し込んでいけば、ヘッド部材２３は殆ど（あるいは全く）傾動すること無く、接合端面６１ａとの間に清掃テープ２を挟み込むようにして、接合端面６１ａに対して閉じ合わされることとなる。このとき、清掃テープ２の、ヘッド部材２３のテープ押圧面２４に沿って配置されている部分（当接部２ａ）全体を、均等の押圧力を以て、光プラグ６０の接合端面６１ａに押し付けることができる。
【００９６】
図１５（ｃ）、（ｄ）のように、光プラグ６０の接合端面６１ａとヘッド部材２３のテープ押圧面２４との向きが合致していない場合は、ヘッド部材２３から光プラグ６０に押圧力を作用させたときに、ヘッド部材２３に対して、テープ押圧面２４の上端縁２４ａ（ばね頂部側の端部）の側と下端縁２４ｂ（ばね裏側の端部）との側とに不均等な押圧力が作用することにより、傾動用ばね４１が弾性変形してヘッド部材２０が傾動する。
ヘッド部材２０は、光アダプタ７０に挿入した挿入部２０の光プラグ６０へ向けての押し込みの進行に伴い、傾動用ばね４１の弾性変形によって、光プラグ６０の接合端面６１ａに追従するように傾動し、最終的に、光プラグ６０の接合端面６１ａに対して閉じ合わされて、接合端面６１ａとの間に清掃テープ２を挟み込んだ状態に至る。
【００９７】
図１５（ｃ）、（ｄ）の場合は、光プラグ６０の接合端面６１ａに対するヘッド部材２３の押圧によって、光プラグ６０（詳細にはフェルール６１）からテープ押圧面２４の下端縁２４ｂに、上端縁２４ａに比べて相対的に後側への押圧力が作用し、傾動用ばね４１が、前後方向両端間が接近するように弾性変形される。図１５（ｃ）、（ｄ）では、アーチ状の傾動用ばね４１の前後方向両端間の距離が縮小することで、図１５（ａ）の状態に比べて、傾動用ばね４１が上下に細長い形状となる。
また、テープ押圧面２４の下端縁２４ｂが、上端縁２４ａに比べて相対的に後側へ変位することで、ヘッド部材２３に、テープ押圧面２４の上端縁２４ａが前側へ変位する向きの変化が生じ、これにより、ばね頂部側のテープ押圧面２４が、光プラグ６０の接合端面６１ａに清掃テープ２を押し付けるようになる。
【００９８】
ここで、図１５（ｃ）、（ｄ）の場合のヘッド部材２３の向きの変化は、図２４（ｃ）、（ｄ）の場合と同様に、傾動用ばね４１全体の変形によって実現される。
図１５（ｃ）、（ｄ）の場合、図２４（ｂ）を参照して説明したような現象、すなわち、傾動用ばね４１の湾曲頂部４１２から突出先端４１１側の部分に、湾曲頂部４１２に対して突出先端４１１側を前側へ押し広げて湾曲半径を拡大するような変形が与えられるといった現象は発生しない。このため、傾動用ばね４１全体の変形が円滑になされ、接合端面６１ａに対するテープ押圧面２４の追従性を充分に確保できる。
その結果、テープ押圧面２４から光プラグ６０の接合端面６１ａへの押圧力の均等化を充分に実現でき、清掃テープ２の内のテープ押圧面２４に配置されている部分２ａ（以下、当接部とも言う）を、接合端面６１ａに対して均等に押し付けることができ、高い清掃能力が得られる。
【００９９】
この清掃工具１によれば、傾動用ばね４１の突出先端４１１に支持されたヘッド部材２３のテープ押圧面２４が、ばね頂部側からばね裏側に行くにしたがって前側、となるように傾斜されている構成により、ヘッド部材２３によって清掃テープ２を接合端面６１ａに押し付ける際に、光プラグ６０の接合端面６１ａの傾斜方向によらず、傾動用ばね４１の弾性変形によって、テープ押圧面２４に、接合端面６１ａに対する高い追従性を確保できる。このため、清掃テープ２の内のテープ押圧面２４に配置されている部分を均等な押圧力を以て接合端面６１ａに押し付けることができ、高い清掃能力を確実に得ることができる。
また、この結果、光アダプタ７０に対する挿入部２０の挿入向きによらず（正逆切り換え）、高い清掃能力を確実に得ることができる。ヘッド部材２３のテープ押圧面２４に、光プラグ６０の接合端面６１ａの傾斜方向に対する高い追従性が得られるため、清掃工具１の作業者による清掃工具１の傾動操作等によって、接合端面６１に対するテープ押圧面２４の向きに変動が生じる場合でも、高い清掃能力を安定に得ることができる。光プラグ６０の接合端面６１ａに対する清掃テープ２の密接状態を維持できることも言うまでも無い。
【０１００】
テープ押圧面２４の傾斜角度θ１は、光プラグ６０の斜め研磨された接合端面６１ａの傾斜角度θ２（図１６参照）と同じか、傾斜角度θ２よりも大きい（つまり、θ２≦θ１）ことが、上述の効果を確実に得る点で好ましい。
【０１０１】
（テープ送り方向とテープ押圧面の傾斜との関係）
テープ送り機構３による清掃テープ２の送り方向は、図１５（ｂ）〜（ｄ），図１６等に示したように、清掃テープ２を巻き回したヘッド部材２３のばね裏側の端部が送り方向上流側、ばね頂部側が送り方向下流側（テープ押圧面２４においては、ばね裏側からばね頂部側に向かう送り移動となる）となる方向であることが、高い清掃能力の安定確保の点で好ましい。
【０１０２】
これは、挿入部２０に組み込まれているヘッドユニット４が、突出部１９に支持されている支持部本体４４の前端に、アーチ状の傾動用ばね４１とヘッド部材２３とを片持ちに支持している構造であることに起因する。
ヘッド部材２３は、テープ送り機構３の操作によって清掃テープ２が送り移動されたときに、該ヘッド部材２３に巻き回されている清掃テープ２との接触抵抗により、清掃テープ２に追従するようにして、清掃テープ２の送り方向下流側への変位力を受ける。これにより、傾動用ばね４１に変形力が与えられる。
【０１０３】
清掃テープ２の送り方向が、ヘッド部材２３においてばね裏側からばね頂部側に向かう方向であれば、ヘッド部材２３と清掃テープ２との接触抵抗により、ヘッド部材２３のばね裏側端部に傾動用ばね４１の突出先端４１１を中心とする前側への回転力、ばね頂部側端部に後側への変位力が作用する。
ここで、実際に、ヘッド部材２３のばね裏側端部に、傾動用ばね４１の突出先端４１１を中心とする前側への回転変位を生じるには、図２４（ｂ）を参照して説明したような現象、すなわち、アーチ状の傾動用ばね４１の湾曲頂部４１２から突出先端４１１側の部分に、湾曲頂部４１２に対して突出先端４１１側を前側へ押し広げて湾曲半径を拡大するような変形が与えられて、湾曲頂部４１２に対して相対的に突出先端４１１がフェルール６１への押圧方向前側へ変位するといった現象を伴う。
【０１０４】
しかし、図１５（ｂ）〜（ｄ）に示すように、ヘッド部材２３からの押圧力によって光プラグ６０の接合端面６１ａに清掃テープ２を押し付けて密接させた状態では、アーチ状の傾動用ばね４１の前端（突出先端４１１）に支持されているヘッド部材２３のばね裏側部分の前側への変位が、光プラグ６０の接合端面６１ａによって規制されるため、アーチ状の傾動用ばね４１の湾曲頂部４１２から突出先端４１１側の部分に、湾曲頂部４１２に対して突出先端４１１側を前側へ押し広げて湾曲半径を拡大するような変形が与えられて、湾曲頂部４１２に対して相対的に突出先端４１１がフェルール６１への押圧方向前側へ変位するといった現象が生じる余地が無い。このため、フェルール６１の接合端面６１ａとヘッド部材２３のテープ押圧面２４とが清掃テープ２を挟み込むようにして閉じ合わされた状態で、清掃テープ２の送り移動を行っても、ヘッド部材２３の向きが変わることは無い。また、テープ押圧面２４からの押圧力によって接合端面６１ａに清掃テープ２を均等に押圧する押圧状態も安定に得られる。
然るに、清掃テープ２の送り方向が、ヘッド部材２３においてばね裏側からばね頂部側に向かう方向であれば、テープ押圧面２４による接合端面６１ａへの清掃テープ２の均等な押圧状態を安定に維持でき、高い清掃能力を安定に得ることができる。
【０１０５】
一方、仮に、テープ送り機構３の操作による清掃テープ２の送り方向を、テープ押圧面２４において、ばね頂部側からばね裏側へ向かう方向（つまり、図１５（ｂ）〜（ｄ），図１６に矢印で示したテープ送り方向とは逆向きの移動）とした場合は、例えば、ヘッド部材２３のばね裏側端部に、清掃テープ２との接触によってヘッドユニット４後側への、ヘッドユニット４の傾動用ばね４１及び圧縮用ばね４２による接合端面６１ａに対するヘッド部材２３の押圧力を超える強い変位力が作用したときに、ヘッドユニット４後側への変位が生じる可能性がある。
ヘッド部材２３のばね裏側部分は、傾動用ばね４１及び圧縮用ばね４２の弾性変形によって、ヘッドユニット４後側への変位が可能である。このため、清掃テープ２の送り移動によって、ヘッド部材２３のばね裏側端部に、ヘッドユニット４後側への強い変位力が作用すると、傾動用ばね４１及び圧縮用ばね４２の弾性変形によって、ヘッドユニット４後側への変位が生じ得る。
このとき、ヘッド部材２３のばね頂部側部分は、前側への変位が、光プラグ６０の接合端面６１ａによって規制されている。ヘッド部材２３のばね裏側部分のヘッドユニット４後側への変位は、ヘッド部材２３のばね頂部端部を中心とする、ヘッド部材２３の回転変位によって生じる。
【０１０６】
したがって、この清掃工具１によれば、清掃テープ２を巻き回したヘッド部材２３のばね裏側の端部が送り方向上流側、ばね頂部側が送り方向下流側（テープ押圧面２４においては、ばね裏側からばね頂部側に向かう送り移動となる）となる方向であれば、図１５（ｂ）〜（ｄ）に示したいずれの場合でも、高い清掃能力の安定確保の点で有利である。
【０１０７】
なお、図１０（ａ）〜（ｄ）、図１１、図１３、図１５（ａ）〜（ｄ）等では、ヘッド部材として、ヘッドユニット４の前後方向に垂直の裏面２３ｂと、該裏面２３ｂに対して傾斜するテープ押圧面２４とを具備する三角ブロック状のヘッド部材２３を例示したが、ヘッド部材としては、図２０（ａ）〜（ｄ）に例示したように、テープ押圧面２４と平行の裏面２３ｃを具備する、プレート状のヘッド部材２３を採用することも可能である。この場合も、テープ押圧面２４によって、光プラグ６０のフラット研磨あるいは斜め研磨された接合端面６１ａに、清掃テープ２を押し付ける場合のヘッド部材の傾動等の、ヘッドユニット４の挙動は、三角ブロック状のヘッド部材２３の場合と同様である。
図２０（ｂ）〜（ｄ）の光プラグ６０の接合端面６１ａの向きは、図１５（ｂ）〜（ｄ）に対応させてある。
【０１０８】
本実施の形態の清掃工具は、ＰＯＭやＰＳなどの可燃性材料から、ネジなどの金属部品を用いることなく組み立てて製造することができるので、使用後は分解することなく焼却処分することができる。
【０１０９】
以上、本発明を好適な実施の形態に基づいて説明してきたが、本発明はこの実施の形態のみに限定されるものではなく本発明の要旨を逸脱しない範囲で種々の改変が可能である。
【０１１０】
（１）  図６，図７等に示すように、上記実施の形態の清掃工具について、傾動用ばね、圧縮用ばねの弾性変形により、ヘッド部材のテープ押圧面が挿入部の厚み方向（例えば図８でいえば左右方向）に傾動することを説明したが、この清掃工具においては、ヘッド部材は、傾動用ばね、圧縮用ばねの弾性変形により、テープ押圧面が挿入部の幅方向（例えば図８でいえば左右方向）にも傾動しうる。
この場合、挿入部のヘッド部の向きとフェルールの接合端面の向きをよりよく合わせることができ、より良好に接合端面を清掃することができる。
但し、本発明では、テープ押圧面が挿入部の厚み方向（例えば図８でいえば左右方向）のみに傾動するように、ヘッド部材を傾動可能とした構成を排除しない。
（２）  挿入部は、突出方向の複数箇所に、互いに異なるコネクタハウジングへの挿入によってコネクタハウジング内で位置決めされる単位挿入部が形成されており、挿入部の各単位挿入部は、挿入部の突出方向の位置が相対的に後ろ側に位置する単位挿入部を収容することができる全てのコネクタハウジングに、挿入可能であるように形成されているものとすることができる。このような清掃工具によれば、それぞれの単位挿入部により、挿入部を互いに異なるコネクタハウジングに対して位置決めされるように挿入することができ、１つの清掃工具を用いて、コネクタハウジングの異なる複数の種類やサイズなどに対応して、このコネクタハウジング内の光コネクタの接合端面の清掃を行うことができる。
【０１１１】
（３）  挿入部は、工具本体に対して複数種類の挿入部が交換可能なものとして構成することもできる。これにより、工具本体を変更することなく、挿入部の変更のみによって、コネクタハウジングの種類やサイズなどに対応して、このコネクタハウジング内の光コネクタの接合端面の清掃を行うことができる。
（４）  テープを送り移動する駆動機構（テープ送り機構）は、手動により駆動されるものに限定されず、モータやバネなどの動力により駆動されるようにしたものでもよい。
また、手動と動力による駆動とを、併用したり、必要に応じて切り換えられるようにしてもよい。
【０１１２】
（５）  上記実施の形態の清掃工具においては、挿入部は、工具本体に突設された筒状の突出部１９内に、ヘッドユニットを組み込み、ヘッドユニットのヘッド部材に巻き回した清掃テープ（但し、テープ押圧面に配置された当接部付近を除く）を収容した構成を例示したが、本発明は、必ずしも、これに限定されない。挿入部をコネクタハウジングに挿入するに、清掃テープがコネクタハウジングの内壁などに接触して汚染されるのを防げるのであれば、突出部の形状や構造は特に限定されず、必ずしもスリーブ状である必要はなく、例えば、突出部が、細長板状、チャンネル形といった形状の突片であっても良い。
（６）  送り量報知機構としては、上記実施の形態の構成に限定させず、例えば、清掃テープの送り量に対応して、音やランプの点灯・点滅などの信号を発生させることにより、清掃テープの送り量を報知するような任意の機構を採用することができる。
【０１１３】
（７）上述の実施形態では、キー無しの挿入部（突出部１９の先端部１９ＡにＭＰＯアダプタのキー溝に挿入されるキーが突設されていない挿入部）を例示したが、本発明は、キー有りの挿入部を排除するものではない。
（８）傾動用ばねとしては、上述の実施形態に例示した円弧板状のものに限定されず、例えば、Ｓ字形、波形等のものであっても良い。
湾曲頂部が２以上存在する傾動用ばねについては、傾動用ばねの突出先端を介して両側の内、ヘッド部材から最も近い所に位置する湾曲頂部の側を「ばね頂部側」、反対側を「ばね裏側」と称することとする。
（９）上記実施形態では、ヘッドユニット４が、該ヘッドユニット４の前後方向が、突出部１９の工具本体１０からの突出方向、より具体的には、筒状の突出部１９の中心軸線に沿った方向に揃えた向きで、突出部１９に組み込まれた構成の挿入部を例示したが、本発明はこれに限定されず、例えば、ヘッドユニットを、その前後方向が、該突出部１９の中心軸線に対して傾斜させて突出部１９に組み込むことで、ヘッド部材のテープ押圧面を突出部１９の中心軸線に対して所望角度傾斜させた構成も採用可能である。
この場合も、突出部１９の中心軸線に沿う方向を基準として、ヘッド部材のばね裏側が、ばね頂部側に比べて相対的に前側（光コネクタ等の光部品の端面への押圧方向前側）となるように傾斜させる。
【０１１４】
（１０）  上記実施の形態の清掃工具は、光ファイバアレイや基板型光導波路（Planar Lightwave Circuit）、光トランシーバーなどの光部品について用いられる光部品清掃工具として、光導波路（光ファイバでありうる）の端面が配置された光部品の端面の清掃に用いることもできる。
光ファイバアレイとしては、光ファイバが、基板に形成された１本または並設された複数のＶ溝等の位置決め溝に保持され、前記位置決め溝は、該基板の少なくとも一端まで延在しており、前記基板の一端に前記光ファイバの端面が配置されることにより、端面とされたものなどが挙げられる。基板型光導波路を有した光部品も種々の構成が知られている。本発明の光部品清掃工具によれば、光部品の端面がハウジングなどの凹所に配置されている場合でも、光コネクタの接合端面の代わりに、他の光部品の端面、つまり、光ファイバの端面や基板等の端面を、ヘッドに巻き掛けられた清掃テープによって清掃することができる。
【産業上の利用可能性】
【０１１５】
本発明は、例えば光コネクタや光部品を、他の光コネクタや光部品と光接続する前に、接合端面を清掃するために用いることができる。
【図面の簡単な説明】
【０１１６】
【図１】本発明の一実施の形態に係る光コネクタ清掃工具の外観を示す図であって、（ａ）は平面図、（ｂ）は正面図である。
【図２】図１の清掃工具に係る第２のケース半体を示す図であって、（ａ）は図２（ｂ）のII−II線に沿う断面図、（ｂ）は正面図である。
【図３】図１の清掃工具に係る第１のケース半体を示す図であって、（ａ）は図３（ｂ）のIII−III線に沿う断面図、（ｂ）は正面図である。
【図４】図１の清掃工具の内部を示す断面図である。
【図５】図１の清掃工具の内部を示す断面図である。
【図６】本清掃工具のダイヤルの一例を示す図であって、（ａ）は図６（ｂ）のVI−VI線に沿う断面図、（ｂ）は正面図である。
【図７】図６のダイヤルの斜視図である。
【図８】本清掃工具の供給リールおよび巻取リールの一例を示す図であって、（ａ）は正面図、（ｂ）は図８（ａ）のVIII−VIII線に沿う断面図である。
【図９】図８に示す供給リールおよび巻取リールを支持軸に装着した状態を示す部分断面図である。
【図１０】本清掃工具のヘッドユニットの（ａ）正面図、（ｂ）平面図、（ｃ）左側面図、（ｄ）右側面図である。
【図１１】図１０に示すヘッドユニットの斜視図である。
【図１２】本清掃工具のガイドキャップの（ａ）正面図、（ｂ）平面図、（ｃ）左側面図、（ｄ）右側面図である。
【図１３】本清掃工具の工具先端部の（ａ）平断面図および（ｂ）正断面図である。
【図１４】本清掃工具の挿入部付近を示す図であって、（ａ）はヘッド部材側から見た構造を示す図、（ｂ）は正面図である。
【図１５】本清掃工具のヘッド部材によって清掃テープを光プラグの接合端面に押し付ける場合のヘッドユニットの挙動を説明する図であって、（ａ）は押し付け前、（ｂ）、（ｃ）は光プラグの斜め研磨された接合端面への押し付け、（ｄ）は光プラグのフラット研磨された接合端面への押し付けを示す。
【図１６】本清掃工具のヘッドユニットのヘッド部材によって、光プラグの斜め研磨された接合端面に清掃テープを押し付けた状態を示す図である。
【図１７】光コネクタプラグの斜め研磨された接合端面が、ヘッド部材の先端面に当接した状態を示す概略図である。
【図１８】本清掃工具の挿入部と光コネクタプラグとが、ガイドキャップに挿入された状態の一例を示す断面図である。
【図１９】光コネクタプラグのフェルールの一例を示す正面図である。
【図２０】本清掃工具のヘッドユニットのヘッド部材がプレート状である場合において、前記ヘッド部材によって清掃テープを光プラグの接合端面に押し付ける場合のヘッドユニットの挙動を説明する図であって、（ａ）は押し付け前、（ｂ）、（ｃ）は光プラグの斜め研磨された接合端面への押し付け、（ｄ）は光プラグのフラット研磨された接合端面への押し付けを示す。
【図２１】本清掃工具の挿入部と光コネクタプラグとが、光コネクタアダプタに挿入される状態を示す分解斜視図である。
【図２２】（ａ）〜（ｄ）は、本清掃工具に係る送り量報知機構の動作を説明する図である。
【図２３】従来のクリーナーをコネクタ用位置決めハウジングに挿入した状態の一例を示す断面図である。
【図２４】従来のクリーナーのヘッドユニットのヘッドプレートによって清掃テープを光プラグの接合端面に押し付ける場合のヘッドユニットの挙動を説明する図であって、（ａ）は押し付け前、（ｂ）、（ｃ）は光プラグの斜め研磨された接合端面への押し付け、（ｄ）は光プラグのフラット研磨された接合端面への押し付けを示す。
【符号の説明】
【０１１７】
１…清掃工具（光コネクタ清掃工具、光部品清掃工具）、２…清掃テープ、３…テープ送り機構、４…ヘッドユニット、１０…工具本体、１９…突出部、１９Ａ…突出部の先端部、２０…挿入部、２３…ヘッド部材、２４…テープ押圧面、２４ｃ…ヘッド部材の先端面の中心位置、２５Ａ、２５Ｂ…ガイド溝、４０…ヘッド支持部、４１…傾動用ばね、４１１…傾動用ばねの突出先端、４１２…傾動用ばねの湾曲頂部、４２…圧縮用ばね、４３…取付部、４４…支持部本体、５０…ガイドキャップ、６０…光コネクタ（光部品）、６１ａ…接合端面（光部品の端面）、７０…コネクタ用位置決めハウジング（光コネクタアダプタ、光アダプタ）、７２…コネクタ収容穴、７２ａ…キー溝。
【図１】
2008046218.tif 000003
【図２】
2008046218.tif 000004
【図３】
2008046218.tif 000005
【図４】
2008046218.tif 000006
【図５】
2008046218.tif 000007
【図６】
2008046218.tif 000008
【図７】
2008046218.tif 000009
【図８】
2008046218.tif 000010
【図９】
2008046218.tif 000011
【図１０】
2008046218.tif 000012
【図１１】
2008046218.tif 000013
【図１２】
2008046218.tif 000014
【図１３】
2008046218.tif 000015
【図１４】
2008046218.tif 000016
【図１５】
2008046218.tif 000017
【図１６】
2008046218.tif 000018
【図１７】
2008046218.tif 000019
【図１８】
2008046218.tif 000020
【図１９】
2008046218.tif 000021
【図２０】
2008046218.tif 000022
【図２１】
2008046218.tif 000023
【図２２】
2008046218.tif 000024
【図２３】
2008046218.tif 000025
【図２４】
2008046218.tif 000026